(57)【要約】【課題】並列接続された複数の光源のいずれかが故障しても、光源の持続的な発光を行う。【解決手段】制御部９００が、並列接続された光源１１−１〜１１−ｍにおいて故障光源が存在するか否かを判定する。制御部９００は、故障光源が存在する場合、光源１１−１〜１１−ｍのうち当該故障光源以外の光源である正常光源への電流の持続的な供給が行われるように、電流供給部１００およびスイッチ部１４０の少なくとも一方を制御する。【選択図】図１
2016071981.tif 000002
【特許請求の範囲】
【請求項１】
電流が供給されることにより発光する、並列接続された複数の光源を制御する光源制御装置であって、
前記複数の光源へ一括して電流を供給する電流供給部と、
前記電流供給部が前記複数の光源へ一括して供給する前記電流である第１電流を検出する第１電流検出部と、
前記複数の光源のうち、少なくとも１個の光源に供給される電流である第２電流を検出する第２電流検出部と、
前記複数の光源の各々への電流の供給を停止させる機能を有するスイッチ部と、
前記第１電流および前記第２電流に基づいて、前記複数の光源において故障光源が存在するか否かを判定する制御部と、を備え、
前記制御部は、さらに、前記故障光源が存在する場合、前記複数の光源のうち当該故障光源以外の光源である正常光源への電流の持続的な供給が行われるように、前記電流供給部および前記スイッチ部の少なくとも一方を制御する
光源制御装置。
【請求項２】
前記制御部は、前記第１電流および前記第２電流に基づいて、前記故障光源を特定する
請求項１に記載の光源制御装置。
【請求項３】
前記故障光源は、短絡故障した光源であり、
前記故障光源が存在する場合、
前記スイッチ部は、前記故障光源への電流の供給を停止させ、
前記電流供給部は、前記正常光源へ供給する電流の電流値を当該正常光源の定格値以下にするための処理を行う
請求項１または２に記載の光源制御装置。
【請求項４】
前記故障光源は、開放故障した光源であり、
前記電流供給部は、前記故障光源が存在する場合、前記正常光源へ供給する電流の電流値を当該正常光源の定格値以下にするための処理を行う
請求項１または２に記載の光源制御装置。
【請求項５】
電流が供給されることにより発光する、並列接続された複数の光源を制御する光源制御装置が行う光源制御方法であって、
前記光源制御装置は、
前記複数の光源へ一括して電流を供給する電流供給部と、
前記電流供給部が前記複数の光源へ一括して供給する前記電流である第１電流を検出する第１電流検出部と、
前記複数の光源のうち、少なくとも１個の光源に供給される電流である第２電流を検出する第２電流検出部と、
前記複数の光源の各々への電流の供給を停止させる機能を有するスイッチ部と、を備え、
前記光源制御方法は、
前記第１電流および前記第２電流に基づいて、前記複数の光源において故障光源が存在するか否かを判定するステップと、
前記故障光源が存在する場合、前記複数の光源のうち当該故障光源以外の光源である正常光源への電流の持続的な供給が行われるように、前記電流供給部および前記スイッチ部の少なくとも一方を制御するステップと、を含む
光源制御方法。
【発明の詳細な説明】
【技術分野】
【０００１】
本発明は、並列接続された複数の光源を制御する光源制御装置および光源制御方法に関する。
【背景技術】
【０００２】
近年、投写型映像表示装置の光源として、電気的に並列接続された複数のＬＥＤ（Light Emitting Diode）の集合体を使用することが提案されている。ＬＥＤを並列接続するメリットとしては、低い電圧で、数多くのＬＥＤの駆動が可能である点である。また、他のメリットとしては、複数のＬＥＤを点灯させることにより、高輝度の光源を得ることができる点である。そのため、並列接続された複数のＬＥＤから構成される光源を使用した装置は、従来のランプ光源を使用した装置に比べて、装置全体の消費電力を抑えることができる。
【０００３】
なお、複数のＬＥＤを利用した装置は、各ＬＥＤの輝度を制御する必要がある。特許文献１および特許文献２には、複数のＬＥＤを制御する技術（以下、「関連技術Ａ」ともいう）が開示されている。
【先行技術文献】
【特許文献】
【０００４】
【特許文献１】特開２００７-０９５３９１号公報（段落００１３−００１６、図１）
【特許文献２】特開２００７-０９６１１３号公報（段落００１８−００１９、図１）
【発明の概要】
【発明が解決しようとする課題】
【０００５】
しかしながら、並列接続された複数のＬＥＤから構成される光源部を用いた構成では、当該複数のＬＥＤのうちの１個のＬＥＤが故障しただけで、全てのＬＥＤが点灯しなくなるという問題がある。
【０００６】
例えば、光源部を構成する複数のＬＥＤのうちの１個のＬＥＤが短絡故障した場合、当該短絡故障したＬＥＤに、定電流回路からの駆動電流が集中して供給される。これにより、全てのＬＥＤが不点灯になる。
【０００７】
本発明は、このような問題を解決するためになされたものであり、並列接続された複数の光源のいずれかが故障しても、光源の持続的な発光を行うことが可能な光源制御装置等を提供することを目的とする。
【課題を解決するための手段】
【０００８】
上記目的を達成するために、本発明の一態様に係る光源制御装置は、電流が供給されることにより発光する、並列接続された複数の光源を制御する。前記光源制御装置は、前記複数の光源へ一括して電流を供給する電流供給部と、前記電流供給部が前記複数の光源へ一括して供給する前記電流である第１電流を検出する第１電流検出部と、前記複数の光源のうち、少なくとも１個の光源に供給される電流である第２電流を検出する第２電流検出部と、前記複数の光源の各々への電流の供給を停止させる機能を有するスイッチ部と、前記第１電流および前記第２電流に基づいて、前記複数の光源において故障光源が存在するか否かを判定する制御部と、を備え、前記制御部は、さらに、前記故障光源が存在する場合、前記複数の光源のうち当該故障光源以外の光源である正常光源への電流の持続的な供給が行われるように、前記電流供給部および前記スイッチ部の少なくとも一方を制御する。
【発明の効果】
【０００９】
本発明によれば、制御部が、並列接続された複数の光源において故障光源が存在するか否かを判定する。前記制御部は、前記故障光源が存在する場合、前記複数の光源のうち当該故障光源以外の光源である正常光源への電流の持続的な供給が行われるように、前記電流供給部および前記スイッチ部の少なくとも一方を制御する。
【００１０】
これにより、並列接続された複数の光源のいずれかが故障しても、光源の持続的な発光を行うことができる。
【図面の簡単な説明】
【００１１】
【図１】本発明の実施の形態１に係る光源制御装置の構成を示すブロック図である。
【図２】本発明の実施の形態１に係る光源制御装置の構成の一例を示すブロック図である。
【図３】本発明の実施の形態１に係る電流検出部の特性を示す図である。
【図４】駆動電流管理処理のフローチャートである。
【図５】比較例に係る光源制御装置の構成を示す図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜比較例＞
以下、比較例としての光源制御装置について説明する。図５は、比較例に係る光源制御装置２０００の構成を示す図である。光源制御装置２０００は、電気的に並列接続された複数の光源を使用した装置である。
【００１４】
図５を参照して、光源制御装置２０００は、電流供給部１００Ｎと、光源部１１０Ｎと、制御部９００Ｎとを備える。
【００１５】
光源部１１０Ｎは、光源１１−１，１１−２，１１−３，１１−４を含む。光源１１−１，１１−２，１１−３，１１−４は、電気的に並列接続されている。以下においては、光源１１−１，１１−２，１１−３，１１−４の各々を、単に、「光源１１」ともいう。光源１１は、例えば、ＬＥＤである。
【００１６】
制御部９００Ｎは、電流供給部１００Ｎを制御する。制御部９００Ｎは、例えば、ＭＰＵ（Micro Processing Unit）等のマイコン（マイクロコンピュータ）である。電流供給部１００Ｎは、制御部９００Ｎからの制御に従って、所定の駆動電流Ｉｆ０を光源部１１０Ｎへ供給する定電流回路である。すなわち、電流供給部１００Ｎは、光源１１−１，１１−２，１１−３，１１−４へ電流を供給する。これにより、光源１１−１，１１−２，１１−３，１１−４の各々は発光する。
【００１７】
ＬＥＤは、供給される電流に応じて、出射する光の輝度が可変する。光源制御装置２０００は、所望の輝度を得るために、ユーザ（使用者）がユーザインタフェース等を利用して、制御部９００Ｎを介して駆動電流Ｉｆ０を設定するための構成を有する。
【００１８】
しかしながら、光源制御装置２０００の構成では、前述したように、複数の光源１１のうちの１個の光源１１が故障しただけで、全ての光源１１が点灯しなくなるという問題がある。
【００１９】
例えば、光源部１１０Ｎに含まれる４個の光源１１のうちの１個の光源１１が短絡故障した場合、短絡故障した光源１１に、電流供給部１００Ｎからの駆動電流が集中して供給される。これにより、全ての光源１１が不点灯になる。
【００２０】
また、光源部１１０Ｎに含まれる４個の光源１１のうちの１個の光源１１が開放故障したとする。この場合、設定されている駆動電流Ｉｆ０の電流値によっては、他の正常な光源１１に定格を超える電流が流れる場合がある。この場合、さらなる故障を引き起こし、最悪全ての光源１１が故障するという重大な問題が発生してしまう。
【００２１】
そこで、以下の実施の形態において、上記比較例で述べた上記問題を解決する。
【００２２】
＜実施の形態１＞
図１は、本発明の実施の形態１に係る光源制御装置１０００の構成を示すブロック図である。光源制御装置１０００は、例えば、映像を表示する映像表示装置の光源として使用される装置である。当該映像表示装置は、例えば、投写型映像表示装置である。当該映像表示装置は、投写型映像表示装置に限定されず、他の方式の表示装置であってもよい。
【００２３】
図１に示すように、光源制御装置１０００は、電流供給部１００と、光源部１１０と、スイッチ部１４０と、検出抵抗Ｒ０と、検出抵抗Ｒ１−１〜Ｒ１−ｍ（ｍは３以上の自然数）と、電流検出部１３０，１３１と、スイッチ制御回路１５−１〜１５−ｍ（ｍは３以上の自然数）と、ＡＤコンバータ２００と、制御部９００とを備える。
【００２４】
なお、光源制御装置１０００は、光源部１１０を備えなくてもよい。すなわち、光源制御装置１０００は、外部の光源部１１０を制御する構成であってもよい。
【００２５】
制御部９００は、光源制御装置１０００内の各部を制御する。制御部９００は、例えば、ＭＰＵ等のマイコン（マイクロコンピュータ）である。制御部９００は、所定のプログラムに従って、後述の各種処理を行う。
【００２６】
電流供給部１００は、電線ＥＬ１，ＥＬ２と接続される。電線ＥＬ１は、電線ＥＬ１ａと電線ＥＬ１ｂとから構成される。電線ＥＬ１ａと電線ＥＬ１ｂとは、検出抵抗Ｒ０により電気的に接続される。電流供給部１００は、電線ＥＬ１を使用して、所定の駆動電流Ｉｆ０を光源部１１０へ供給する定電流回路である。駆動電流Ｉｆ０は、後述の光源を発光（点灯）させるための電流である。電流供給部１００は、制御部９００による制御に従い、駆動電流Ｉｆ０の電流値を変化させる。
【００２７】
光源部１１０は、光源１１−１〜１１−ｍ（ｍは３以上の自然数）を含む。光源１１−１〜１１−ｍは、電気的に並列接続されている。光源１１−１〜１１−ｍの各々は、所定の色の光を出射する光源である。以下においては、光源１１−１〜１１−ｍの各々を、単に、「光源１１」ともいう。すなわち、光源部１１０は、ｍ個の光源１１を含む。なお、ｍ＝４である場合、光源部１１０は、図２のように、４個の光源１１（光源１１−１，１１−２，１１−３，１１−４）を含む。また、ｍ＝４である場合、光源１１−１，１１−２，１１−３，１１−４は、電気的に並列接続されている。
【００２８】
光源１１は、ＬＥＤである。この場合、光源１１は、２つの端子を有する。また、光源１１は、電流が供給されることにより発光する。光源１１は、例えば、赤色光を出射する。なお、光源１１は、ＬＥＤに限定されず、例えば、レーザであってもよい。
【００２９】
なお、制御部９００は、電流供給部１００を制御して、並列接続された光源１１−１〜１１−ｍの発光を制御する。すなわち、光源制御装置１０００は、並列接続された複数の光源１１を制御する。
【００３０】
光源１１−１〜１１−ｍの一端は、電流供給部１００と電気的に接続される。光源１１−１〜１１−ｍ全体には、電流供給部１００から駆動電流Ｉｆ０が供給される。言い換えれば、電流供給部１００は、複数の光源１１へ一括して電流を供給する。
【００３１】
光源１１−１〜１１−ｍには、それぞれ、電流Ｉｆ１〜Ｉｆｍ（ｍは３以上の自然数）が流れる。なお、ｍ＝４である場合、図２のように、光源１１−１，１１−２，１１−３，１１−４には、それぞれ、電流Ｉｆ１，Ｉｆ２，Ｉｆ３，Ｉｆ４が流れる。以下においては、電流Ｉｆ１〜Ｉｆｍの各々を、「電流Ｉｆｎ」または「Ｉｆｎ」ともいう。
【００３２】
光源１１−１〜１１−ｍの各々の仕様および特性は全て同じである。当該仕様は、例えば、定格電流である。また、当該特性は、例えば、供給される電流に応じて光源１１が発する光の輝度の特性である。また、当該特性は、例えば、光源１１が発光する際における順方向の降下電圧（以下、「Ｖｆ」ともいう）である。
【００３３】
以下においては、電圧における低電圧状態および高電圧状態を、それぞれ、「Ｈレベル」および「Ｌレベル」ともいう。また、以下においては、ＨレベルおよびＬレベルを、それぞれ、「Ｈ」および「Ｌ」ともいう。
【００３４】
スイッチ部１４０は、複数の光源１１の各々への電流の供給を停止させる機能を有する。スイッチ部１４０は、スイッチ１４−１〜１４−ｍ（ｍは３以上の自然数）を含む。スイッチ１４−１〜１４−ｍは、それぞれ、光源１１−１〜１１−ｍの他端と電気的に接続される。
【００３５】
なお、ｍ＝４である場合、図２のように、スイッチ部１４０は、４個のスイッチ１４（スイッチ１４−１，１４−２，１４−３，１４−４）を含む。また、ｍ＝４である場合、スイッチ１４−１，１４−２，１４−３，１４−４は、それぞれ、光源１１−１，１１−２，１１−３，１１−４の他端と電気的に接続される。
【００３６】
以下においては、スイッチ１４−１〜１４−ｍの各々を、単に、「スイッチ１４」ともいう。スイッチ１４は、外部からの制御により、導通状態（オン状態）および非導通状態（オフ状態）のいずれかの状態になる。スイッチ１４は、詳細は後述するが、例えば、光源１１が短絡故障した場合に制御される。スイッチ１４は、例えば、ＦＥＴ（Field-Effect Transistor）である。スイッチ１４−１〜１４−ｍの各々は、同じ仕様および同じ特性を有する。なお、スイッチ１４は、ＦＥＴに限定されず、オン状態およびオフ状態のいずれかに選択的に切り替わることが可能な他の半導体素子であってもよい。
【００３７】
スイッチ１４−１〜１４−ｍは、詳細は後述するが、それぞれ、制御信号Ｓ１〜Ｓｍを受信する。以下においては、制御信号Ｓ１〜Ｓｍの各々を、単に、「制御信号Ｓｎ（ｎは自然数）」ともいう。各スイッチ１４は、受信する制御信号ＳのレベルがＨレベルの場合、オン状態（以下、「オン」ともいう）になる。また、各スイッチ１４は、受信する制御信号ＳのレベルがＬレベルの場合、オフ状態（以下、「オフ」ともいう）になる。
【００３８】
検出抵抗Ｒ０は、電流供給部１００が供給する駆動電流Ｉｆ０を検出するための抵抗である。検出抵抗Ｒ０の一端は、電線ＥＬ１ａに接続される。検出抵抗Ｒ０の他端は、電線ＥＬ１ｂに接続される。
【００３９】
検出抵抗Ｒ１−１〜Ｒ１−ｍの一端は、それぞれ、スイッチ１４−１〜１４−ｍと電気的に接続される。また、検出抵抗Ｒ１−１〜Ｒ１−ｍの他端は、電線ＥＬ２と接続される。
【００４０】
なお、ｍ＝４である場合、図２のように、検出抵抗Ｒ１−１，Ｒ１−２，Ｒ１−３，Ｒ１−４の一端は、それぞれ、スイッチ１４−１，１４−２，１４−３，１４−４と電気的に接続される。また、検出抵抗Ｒ１−１，Ｒ１−２，Ｒ１−３，Ｒ１−４の他端は、電線ＥＬ２と接続される。
【００４１】
検出抵抗Ｒ１−１は、当該検出抵抗Ｒ１−１と、スイッチ１４−１を介して電気的に接続される光源１１−１に供給される電流を検出するための抵抗である。以下においては、検出抵抗Ｒ１−１〜Ｒ１−ｍの各々を、単に、「検出抵抗Ｒ１」ともいう。各検出抵抗Ｒ１は、当該検出抵抗Ｒ１と、スイッチ１４を介して電気的に接続される光源１１に供給される電流を検出するための抵抗である。
【００４２】
検出抵抗Ｒ１−１〜Ｒ１−ｍの各々は、同じ仕様および同じ特性を有する。例えば、検出抵抗Ｒ１−１〜Ｒ１−ｍの各々の抵抗値は、同じである。すなわち、検出抵抗Ｒ１−２〜Ｒ１−ｍの各々は、光源１１−１に流れる電流の電流値と同じ電流値の電流を、光源１１−２〜１１−ｍに流すための抵抗である。例えば、ｍ＝４である場合、光源１１−１に流れる電流の電流値と、光源１１−２，１１−３，１１−４の各々に流れる電流の電流値とは同じである。
【００４３】
電流検出部１３０は、電流供給部１００が複数の光源１１（光源１１−１〜１１−ｍ）へ一括して供給する駆動電流Ｉｆ０を検出する。すなわち、電流検出部１３０は、電流を検出する機能を有する電流検出回路である。具体的には、電流検出部１３０は、検出抵抗Ｒ０に流れる電流（駆動電流Ｉｆ０）の電流値に応じた電圧レベルを示す電流検出信号ＶＤ０をＡＤコンバータ２００へ送信する。
【００４４】
なお、詳細は後述するが、電流検出部１３０が検出した電流に対応する後述のデジタルデータに基づいて、制御部９００が電流供給部１００に対して設定した電流値の電流が、光源部１１０へ実際に供給されているか判定される。
【００４５】
電流検出部１３１は、故障検出用の検出部である。電流検出部１３１は、複数の光源１１のうち、１個の光源１１に供給される電流を検出する。具体的には、電流検出部１３１は、光源１１−１に供給される電流を検出する。すなわち、電流検出部１３１は、電流を検出する機能を有する電流検出回路である。電流検出部１３１の一端は、検出抵抗Ｒ１−１の一端と電気的に並列接続される。また、電流検出部１３１の他端は、電線ＥＬ２と接続される。
【００４６】
さらに具体的には、電流検出部１３１は、検出抵抗Ｒ１−１に流れる電流の電流値に応じた電圧レベルを示す電流検出信号ＶＤ１をＡＤコンバータ２００へ送信する。以下においては、電流検出信号ＶＤ０，ＶＤ１の各々を、「電流検出信号ＶＤｎ」または「ＶＤｎ」ともいう。また、以下においては、電流検出部１３０，１３１の各々を、「電流検出部ＤＴ」ともいう。本実施の形態では、光源制御装置１０００が備える電流検出部ＤＴの数は、光源制御装置１０００が備える光源１１の数より少ない。例えば、光源制御装置１０００が備える電流検出部ＤＴの数が２である場合、光源制御装置１０００が備える光源１１の数は、３以上である。
【００４７】
スイッチ制御回路１５−１〜１５−ｍは、それぞれ、制御信号Ｓ１〜Ｓｍを出力する。スイッチ制御回路１５−１〜１５−ｍは、それぞれ、スイッチ１４−１〜１４−ｍと電気的に接続される。また、スイッチ制御回路１５−１〜１５−ｍは、信号線４０により、制御部９００と接続される。信号線４０は、例えば、ＩＩＣバスである。
【００４８】
なお、ｍ＝４である場合、図２のように、スイッチ制御回路１５−１，１５−２，１５−３，１５−４は、それぞれ、スイッチ１４−１，１４−２，１４−３，１４−４と電気的に接続される。また、スイッチ制御回路１５−１，１５−２，１５−３，１５−４は、信号線４０により、制御部９００と接続される。
【００４９】
以下においては、スイッチ制御回路１５−１〜１５−ｍの各々を、単に、「スイッチ制御回路１５」ともいう。各スイッチ制御回路１５は、制御部９００からの命令（指示）により動作する。
【００５０】
各スイッチ制御回路１５は、当該スイッチ制御回路１５に対応するスイッチ１４をオンまたはオフにする制御を行う。具体的には、各スイッチ制御回路１５は、ＨまたはＬレベルの制御信号Ｓｎを、対応するスイッチ１４のゲート端子へ送信する。制御信号Ｓｎは、スイッチ１４のオン・オフを制御するための信号である。
【００５１】
例えば、スイッチ１４−１をオンする場合、スイッチ制御回路１５−１は、Ｈレベルの制御信号Ｓ１を、スイッチ１４−１のゲート端子へ送信する。また、例えば、スイッチ１４−１をオフする場合、スイッチ制御回路１５−１は、Ｌレベルの制御信号Ｓ１を、スイッチ１４−１のゲート端子へ送信する。
【００５２】
ＡＤコンバータ２００は、詳細は後述するが、電流検出信号ＶＤｎの電圧値（電圧レベル）を、所定の規則に基づきデジタルデータ（デジタル値）に変換する。ＡＤコンバータ２００は、信号線４０により、制御部９００と接続される。ＡＤコンバータ２００は、制御部９００からの要求に従い、当該デジタルデータを、制御部９００へ送信する。
【００５３】
次に、一例として、ｍ＝４である場合の電流供給部１００が供給する電流について詳細に説明する。図２を参照して、前述したように、光源１１−１，１１−２，１１−３，１１−４には、それぞれ、電流Ｉｆ１，Ｉｆ２，Ｉｆ３，Ｉｆ４が流れる。駆動電流Ｉｆ０および電流Ｉｆ１〜Ｉｆ４には、以下の式１および式２に示される関係が成立する。
【００５４】
【数１】
2016071981.tif 000003
【００５５】
【数２】
2016071981.tif 000004
【００５６】
電流供給部１００が供給する駆動電流Ｉｆ０の電流値が、例えば、１２（Ａ）（アンペア）であるとする。この場合、式２（Ｉｆ１＝Ｉｆ２＝Ｉｆ３＝Ｉｆ４＝３（Ａ））により、スイッチ１４−１〜１４−４の各々がオンしているとき、光源１１−１〜１１−４の各々には、３（Ａ）の電流が流れる。
【００５７】
次に、電流検出部１３０，１３１について詳細に説明する。電流検出部１３０は、以下の式３に基づく特性に従って、検出抵抗Ｒ０に流れる電流（駆動電流Ｉｆ０）を、０〜５（Ｖ）の電流検出信号ＶＤ０に変換する機能を有する。また、電流検出部１３１は、以下の式３に基づく特性に従って、検出抵抗Ｒ１−１に流れる電流Ｉｆ１を、０〜５（Ｖ）の電流検出信号ＶＤ１に変換する機能を有する。前述したように、電流検出信号ＶＤ０，ＶＤ１の各々は、「電流検出信号ＶＤｎ」または「ＶＤｎ」と表現される。また、前述したように、電流Ｉｆ１，Ｉｆ２の各々は、「電流Ｉｆｎ」または「Ｉｆｎ」と表現される。電流検出信号ＶＤｎ（ｎ：０，１）は、以下の式３により算出される。
【００５８】
【数３】
2016071981.tif 000005
【００５９】
式３のＶＤｎおよびＩｆｎのｎは、０または１である。
【００６０】
図３は、式３の特性を示す特性線Ｌ１を示す図である。すなわち、図３は、本発明の実施の形態１に係る電流検出部ＤＴ（電流検出部１３０，１３１）の特性を示す図である。
【００６１】
電流検出部１３０，１３１が、ＡＤコンバータ２００へ送信する電流検出信号ＶＤｎの電圧は、式３により、以下のようになる。例えば、電流検出部１３０，１３１が検出した電流の電流値が０（Ａ）の場合、電流検出信号ＶＤｎの電圧は０（Ｖ）である。また、例えば、電流検出部１３０，１３１が検出した電流の電流値が２（Ａ）の場合、電流検出信号ＶＤｎの電圧は０．４（Ｖ）である。また、例えば、電流検出部１３０，１３１が検出した電流の電流値が１０（Ａ）の場合、電流検出信号ＶＤｎの電圧は２．０（Ｖ）である。
【００６２】
次に、ＡＤコンバータ２００について詳細に説明する。ＡＤコンバータ２００は、チャンネルとしての変換部２０−０，２０−１を含む。変換部２０−０，２０−１は、それぞれ、電流検出部１３０，１３１と接続される。
【００６３】
変換部２０−０は、電流検出部１３０から、電流検出信号ＶＤ０を受信する。変換部２０−１は、電流検出部１３１から、電流検出信号ＶＤ１を受信する。
【００６４】
変換部２０−０は、受信した電流検出信号ＶＤ０をデジタルデータＤＤ０に変換する。以下においては、デジタルデータＤＤ０を、単に、「ＤＤ０」ともいう。また、変換部２０−１は、受信した電流検出信号ＶＤ１をデジタルデータＤＤ１に変換する。以下においては、デジタルデータＤＤ１を、単に、「ＤＤ１」ともいう。また、以下においては、デジタルデータＤＤ０、ＤＤ１の各々を、「デジタルデータＤＤｎ」または「ＤＤｎ」ともいう。また、以下においては、変換部２０−０，２０−１の各々を、「変換部２０」ともいう。
【００６５】
具体的には、各変換部２０は、以下の式４に基づいて、電流検出信号ＶＤｎの電圧レベルを、デジタルデータＤＤｎ（ｎ：０，１）に変換する。デジタルデータＤＤｎは、例えば、０から２５０までの範囲のいずれかの値を示すデータである。
【００６６】
【数４】
2016071981.tif 000006
【００６７】
式４のＤＤｎおよびＶＤｎのｎは、０または１である。なお、式３および式４から、以下の式５が成り立つ。
【００６８】
【数５】
2016071981.tif 000007
【００６９】
式５のＤＤｎおよびＩｆｎのｎは、０または１である。
【００７０】
ＡＤコンバータ２００は、制御部９００からの要求に従い、デジタルデータＤＤｎを、制御部９００へ送信する。
【００７１】
なお、デジタルデータＤＤ０、ＤＤ１について、式１、式２および式５の関係により、以下の式６の関係が成り立つ。
【００７２】
【数６】
2016071981.tif 000008
【００７３】
ＤＤ０，ＤＤ１について、式６の関係が成立する場合、光源制御装置１０００（光源部１１０）の各光源１１が故障しておらず、かつ、光源部１１０の各光源１１が正常に動作している。一方、ＤＤ０，ＤＤ１について、式６の関係が成立しない場合、光源１１−１〜１１−４のいずれかが故障している。
【００７４】
次に、光源制御装置１０００の実際の動作について説明する。まず、制御部９００は、電流供給部１００に対し、当該電流供給部１００が供給する駆動電流Ｉｆ０の電流値の設定を行う。その後、制御部９００は、スイッチ制御回路１５−１〜１５−４がそれぞれ送信する制御信号Ｓ１〜Ｓ４のレベルをＨレベルに設定するよう、スイッチ制御回路１５−１〜１５−４を制御する。このようにして、制御部９００は、光源１１−１〜１１−４に、それぞれ、電流Ｉｆ１〜Ｉｆ４が供給されるように、スイッチ制御回路１５−１〜１５−４を制御する。これにより、制御部９００は、使用者が要求する輝度で、各光源１１を点灯させている。映像表示装置は、光源制御装置１０００が発する光を利用して映像を表示する。
【００７５】
また、制御部９００は、さらに、一定の間隔で、信号線４０を介して、ＡＤコンバータ２００からデジタルデータＤＤ０、ＤＤ１を取得（観測）する。これにより、制御部９００は、電流供給部１００が供給する駆動電流Ｉｆ０と、光源１１−１に流れている電流Ｉｆ１とを、随時、計測（算出）している。
【００７６】
以下においては、デジタルデータＤＤ０の値に基づく実際の駆動電流Ｉｆ０の電流値を、「実電流値」ともいう。また、以下においては、制御部９００が設定した、駆動電流Ｉｆ０の電流値を、「設定電流値」ともいう。
【００７７】
また、制御部９００は、取得したデジタルデータＤＤ０の値に基づく実電流値が、設定電流値と等しいか否かを監視している。以下においては、実電流値が設定電流値と等しい状況を、「状況Ｎ」ともいう。また、以下においては、実電流値が設定電流値と異なる状況を、「状況Ｘ」ともいう。
【００７８】
なお、例えば、電流供給部１００を構成する部品の特性バラツキ等により、実電流値が設定電流値と異なる状況Ｘが発生している場合、制御部９００は、実電流値が所望の電流値となるために、設定電流値を変更するための処理Ｎを行うように構成される。具体的には、制御部９００は、当該処理Ｎを行うためのプログラムに従って動作する。
【００７９】
ここで、以下の前提Ａ１における光源制御装置１０００の動作について説明する。前提Ａ１では、光源制御装置１０００の構成は、図２に示す構成である。すなわち、前提Ａ１では、光源部１１０は、光源１１−１，１１−２，１１−３，１１−４を含む。また、前提Ａ１では、光源１１−１〜１１−４の各々の定格電流は、４．５（Ａ）（アンペア）である。以下においては、光源１１の定格電流を、「定格値」ともいう。
【００８０】
本明細書において、光源１１の定格値（定格電流）とは、当該定格値以下の電流値の電流が当該光源１１に流れた場合、当該光源１１が正常に動作する（発光する）値である。また、光源１１の定格値（定格電流）とは、当該定格値より大きい電流値の電流が当該光源１１に流れた場合、当該光源１１が故障する可能性がある値である。
【００８１】
また、前提Ａ１では、制御部９００が、電流供給部１００を制御して、駆動電流Ｉｆ０の電流値を、１２（Ａ）に設定する。すなわち、前提Ａ１では、設定電流値は、１２（Ａ）である。そのため、前提Ａ１では、光源１１−１〜１１−４の各々には、式１，２に基づく１２÷４の式より、３（Ａ）の電流Ｉｆｎが供給される。
【００８２】
ここで、仮に、例えば、電流供給部１００を構成する部品の特性バラツキ等がなく、状況Ｎが維持されているとする。なお、式５に前提Ａ１における値（Ｉｆｎ＝３）を代入することにより、ＤＤ１＝１０×３＝３０が得られる。そして、式６にＤＤ１＝３０を代入することにより、デジタルデータＤＤ０の値として、１２０が得られる。すなわち、状況Ｎにおいて、制御部９００が取得するデジタルデータＤＤ０の値は、１２０である。
【００８３】
以下においては、前提Ａ１においてデジタルデータＤＤ０の値が１２０より大きい状況を、「電流過剰状況」ともいう。電流過剰状況は、駆動電流Ｉｆ０の電流値が、１２（Ａ）より大きい状況である。また、以下においては、前提Ａ１においてデジタルデータＤＤ０の値が１２０より小さい状況を、「電流不足状況」ともいう。電流不足状況は、駆動電流Ｉｆ０の電流値が、１２（Ａ）より小さい状況である。また、以下においては、光源部１１０が発する光の輝度であり、かつ、使用者が所望する輝度を、「目標輝度」ともいう。
【００８４】
まず、電流過剰状況の一例について説明する。ここで、制御部９００が取得したデジタルデータＤＤ０の値が１３０であるとする。この場合、制御部９００は、式５より、駆動電流Ｉｆ０の電流値（実電流値）が１３（Ａ）であると判断する。そして、制御部９００は、電流供給部１００を制御して、実電流値が１２（Ａ）となるように（すなわち、ＤＤ０が１２０となるように）、現在の設定電流値を、当該設定電流値より小さくする。
【００８５】
次に、電流不足状況の一例について説明する。ここで、制御部９００が取得したデジタルデータＤＤ０の値が１１０であるとする。この場合、制御部９００は、式５より、駆動電流Ｉｆ０の電流値（実電流値）が１１（Ａ）であると判断する。そして、制御部９００は、電流供給部１００を制御して、実電流値が１２（Ａ）となるように（すなわち、ＤＤ０が１２０となるように）、現在の設定電流値を、当該設定電流値より大きくする。
【００８６】
以上のように、制御部９００は、使用者が所望する目標輝度が得られるように、電流供給部１００を制御して、光源部１１０（光源１１）への電流の供給量を制御する。
【００８７】
また、制御部９００は、光源部１１０に含まれる各光源１１が正常に動作しているか否かの監視を行っている。具体的には、制御部９００は、デジタルデータＤＤ０，ＤＤ１の値に基づいて、光源部１１０の各光源１１が正常な状態であるか否かを判断する。
【００８８】
前提Ａ１において光源部１１０に含まれる全ての光源１１が正常に動作している場合、駆動電流Ｉｆ０の電流値は１２（Ａ）であり、Ｉｆ１，Ｉｆ２，Ｉｆ３，Ｉｆ４の全ての電流値は、３（Ａ）である。以下においては、前提Ａ１においてＩｆ１，Ｉｆ２，Ｉｆ３，Ｉｆ４の電流値が、３（Ａ）である状態を、「状態ＳＴａ１」ともいう。
【００８９】
この場合、式５より、制御部９００がＡＤコンバータ２００から取得するデジタルデータＤＤ０，ＤＤ１は、それぞれ、１２０，３０を示す。すなわち、ＤＤ０，ＤＤ１について、式６の関係が成立する場合、制御部９００は、光源制御装置１０００（光源部１１０）の各光源１１が正常に動作していると判断する。この場合、制御部９００は、映像を表示するための光源として、光源部１１０の各光源１１をそのまま点灯させ続ける。
【００９０】
なお、光源１１の偶発的な故障形態には、短絡故障および開放故障が存在する。最初に光源１１が短絡故障した場合について説明する。短絡故障とは、光源１１が有する２つの端子が短絡した故障である。開放故障とは、光源１１が有する２つの端子が開放状態となった故障である。
【００９１】
以下においては、光源部１１０に含まれる、故障した、発光不能な光源１１を、「故障光源」ともいう。故障光源は、短絡故障した光源１１または開放故障した光源１１である。以下においては、短絡故障した光源１１を、「短絡故障光源」ともいう。また、以下においては、開放故障した光源１１を、「開放故障光源」ともいう。また、以下においては、光源部１１０に含まれる、故障しておらず、かつ、正常に発光可能な光源１１を、「正常光源」ともいう。正常光源は、光源部１１０に含まれる複数の光源１１のうち故障光源以外の光源である。
【００９２】
また、以下においては、光源１１を発光させるための電流を流すための経路を、「電流経路」ともいう。例えば、光源１１−１の電流経路とは、光源１１−１を発光させるための電流を流すための経路である。例えば、光源１１−１の電流経路は、図１において、光源１１−１から電線ＥＬ２までの経路である。
【００９３】
以下においては、短絡故障光源を特定するために制御されるスイッチ１４を、「短絡故障判定スイッチ」ともいう。例えば、前提Ａ１における短絡故障判定スイッチは、スイッチ１４−１〜１４−４である。また、以下においては、短絡故障光源の電流経路に設けられたスイッチ１４を、「短絡故障特定スイッチ」ともいう。また、以下においては、スイッチ部１４０に含まれるスイッチ１４−１〜１４−ｍのうち、短絡故障特定スイッチ以外のスイッチがオンを維持している状況を、「一部オン状況」ともいう。短絡故障特定スイッチは、一部オン状況で、当該短絡故障特定スイッチのみがオフされたときに、ＤＤ１の値を変化させるスイッチである。
【００９４】
例えば、前提Ａ１における短絡故障特定スイッチは、スイッチ１４−１〜１４−４のうち当該短絡故障特定スイッチ以外のスイッチがオンを維持している状況で、当該短絡故障特定スイッチのみがオフされたときに、ＤＤ１の値を変化させるスイッチである。
【００９５】
ここで、前提Ａ１を伴う以下の前提Ｂ１における処理について説明する。前提Ｂ１では、駆動電流Ｉｆ０の電流値が１２（Ａ）である。また、前提Ｂ１では、光源１１−１が短絡故障している。
【００９６】
上記の前提Ｂ１の場合、光源１１−１の電流経路には、１２（Ａ）の駆動電流Ｉｆ０が全て流れる。前述したように、光源１１−１の電流経路は、光源１１−１から電線ＥＬ２までの経路である。そのため、正常光源である光源１１−２〜１１−４へ電流は供給されなくなる。したがって、電流Ｉｆ２，Ｉｆ３，Ｉｆ４の電流値は０（Ａ）である。以下においては、前提Ｂ１においてＩｆ１，Ｉｆ２，Ｉｆ３，Ｉｆ４の電流値が、それぞれ、１２，０，０，０である状態を、「状態ＳＴｂ１」ともいう。
【００９７】
なお、前提Ｂ１では、電流検出部１３０が検出する駆動電流Ｉｆ０の電流値は、１２（Ａ）である。また、前提Ｂ１では、光源１１−１の電流経路には、１２（Ａ）の駆動電流Ｉｆ０が全て流れるため、電流検出部１３１が検出する電流Ｉｆ１の電流値は、１２（Ａ）である。
【００９８】
また、前提Ｂ１において、制御部９００が取得するデジタルデータＤＤ０，ＤＤ１は、それぞれ、１２０，１２０を示す。この場合、ＤＤ０，ＤＤ１について、式６の関係が成立しない。したがって、制御部９００は、光源１１−１〜１１−４のいずれかが故障したと判定する。制御部９００は、さらに、ＤＤ０＝ＤＤ１＝１２０より、光源１１−１が短絡故障したと判定する。そして、制御部９００は、スイッチ制御回路１５−１を制御して、短絡故障した光源１１−１の電流経路に設けられたスイッチ１４−１をオフにする。
【００９９】
以下においては、故障光源が存在する場合において、１個の正常光源に供給される電流の電流値を、「故障存在電流値」ともいう。
【０１００】
また、故障光源が存在する場合、制御部９００は、電流判定処理を行う。電流判定処理では、制御部９００が、各光源１１において、故障光源以外の正常光源に供給される電流が、最適であるか否かの判定を行う。具体的には、制御部９００は、正常光源に供給される電流の電流値（故障存在電流値）が、定格値（４．５（Ａ））以下であるか否かを判定する。より具体的には、電流判定処理では、制御部９００は、以下の式７の関係が成立しているか否かを判定する。
【０１０１】
【数７】
2016071981.tif 000009
【０１０２】
式７において、定格値とは、１個の正常光源（光源１１）の定格値（定格電流）である。なお、式７の関係が成立している場合、後述の駆動電流変更処理は行われない。
【０１０３】
なお、制御部９００は、故障存在電流値が定格値より大きい場合（式７の関係が成立していない場合）、駆動電流Ｉｆ０を変更（再設定）するための後述の駆動電流変更処理を行う。
【０１０４】
なお、前述の前提Ｂ１では、スイッチ１４−１がオフであり、かつ、１２（Ａ）の駆動電流Ｉｆ０が、正常光源である３個の光源１１に供給される場合、当該各光源１１に供給される電流の電流値（故障存在電流値）は、１２÷３より、４（Ａ）となる。この場合、故障存在電流値（４（Ａ））は、定格値（４．５（Ａ））以下であるため、問題がないと判定される。この場合、駆動電流変更処理は行われない。すなわち、式７の関係が成立している場合、駆動電流Ｉｆ０の変更は行われない。
【０１０５】
次に、他の例として、前提Ａ１を伴う以下の前提Ｂ２における処理について説明する。前提Ｂ２では、駆動電流Ｉｆ０の電流値が１５（Ａ）である。また、前提Ｂ２では、故障光源が存在しない。すなわち、光源１１−１〜１１−４は、正常光源である。
【０１０６】
上記の前提Ｂ２の場合、１５÷４＝３．７５より、正常光源である光源１１−１〜１１−４の各々には、定格値（４．５）以下の３．７５（Ａ）の電流が供給されるため、問題はない。この場合、駆動電流変更処理は行われない。以下においては、前提Ｂ２においてＩｆ１，Ｉｆ２，Ｉｆ３，Ｉｆ４の電流値が、それぞれ、３．７５，３．７５，３．７５，３．７５である状態を、「状態ＳＴｂ２」ともいう。
【０１０７】
次に、さらに他の例として、前提Ａ１を伴う以下の前提Ｂ３における処理について説明する。前提Ｂ３では、駆動電流Ｉｆ０の電流値が１５（Ａ）である。また、前提Ｂ３では、光源１１−１が短絡故障している。また、前提Ｂ３では、仮に、スイッチ１４−１がオフされていると仮定する。
【０１０８】
上記の前提Ｂ３の場合、１５÷３＝５より、正常光源である光源１１−２〜１１−４の各々には、定格値（４．５）より大きい５（Ａ）の電流が供給される。すなわち、前提Ｂ３では、仮に、何も対策をしなければ、更なる故障を招いてしまう恐れがある。以下においては、前提Ｂ３においてＩｆ１，Ｉｆ２，Ｉｆ３，Ｉｆ４の電流値が、それぞれ、０，５，５，５である状態を、「状態ＳＴｂ３」ともいう。
【０１０９】
この場合、制御部９００は、駆動電流変更処理を行う。駆動電流変更処理では、制御部９００が、故障存在電流値が定格値以下になるように、駆動電流Ｉｆ０の設定電流値を、変更（再設定）する。具体的には、制御部９００が、電流供給部１００を制御して、式７の関係が成立するように、駆動電流Ｉｆ０の値を変更する。
【０１１０】
例えば、前提Ｂ３における駆動電流変更処理では、制御部９００が、電流供給部１００を制御して、設定電流値１５（Ａ）を、１３（Ａ）に変更する。これにより、１３÷３＝４．３３であるため、正常光源である光源１１−２〜１１−４の各々には、定格値（４．５）以下の４．３３（Ａ）の電流が供給されるため、問題はない。
【０１１１】
なお、制御部９００は、電流判定処理の後、必要に応じて、スイッチ制御処理を行う。スイッチ制御処理では、制御部９００が、故障光源の種類に基づいて、各光源１１への電流の供給の制御を行う。
【０１１２】
ここで、一例として、前述の前提Ｂ１におけるスイッチ制御処理について説明する。前提Ｂ１におけるスイッチ制御処理では、制御部９００が、スイッチ制御回路１５−１を制御して、短絡故障した光源１１−１の電流経路に設けられたスイッチ１４−１をオフにする。具体的には、制御部９００は、光源１１−１の電流経路に設けられているスイッチ１４−１の制御信号Ｓ１のレベルを、“Ｈ”から“Ｌ”にするよう、信号線４０を介して、スイッチ制御回路１５−１を制御する。
【０１１３】
スイッチ１４−１は、制御信号Ｓ１のレベルが“Ｌ”になると、電流を遮断するようにオフ状態となる。これにより、光源１１−１の電流経路には電流は流れなくなる。その結果、電流供給部１００から供給される１２（Ａ）の駆動電流Ｉｆ０を均等に３分割した４（Ａ）の電流が、正常光源である光源１１−２〜１１−４の各々へ均等に供給される。
【０１１４】
光源１１−２，１１−３，１１−４へそれぞれ供給される電流Ｉｆ２，Ｉｆ３，Ｉｆ４の電流値は、１２÷３＝４より、定格値（４．５）以下の４（Ａ）である。すなわち、光源１１−２，１１−３，１１−４には、それぞれ、４（Ａ）の電流Ｉｆ２，Ｉｆ３，Ｉｆ４が供給される。これにより、光源部１１０（光源１１−２，１１−３，１１−４）が正常に点灯し、前述の映像表示装置は、光源部１１０が発する光を利用して映像を正常に表示することができる。
【０１１５】
次に、さらに他の例として、前提Ａ１を伴う以下の前提Ｂ４における処理について説明する。前提Ｂ４では、駆動電流Ｉｆ０の電流値が１２（Ａ）である。また、前提Ｂ４では、光源１１−３が短絡故障している。
【０１１６】
上記の前提Ｂ４の場合、光源１１−３の電流経路には、１２（Ａ）の駆動電流Ｉｆ０が全て流れる。ここで、光源１１−３の電流経路は、光源１１−３から電線ＥＬ２までの経路である。したがって、電流Ｉｆ３の電流値は１２（Ａ）である。そのため、正常光源である光源１１−１，１１−２，１１−４へ電流は供給されなくなる。したがって、電流Ｉｆ１，Ｉｆ２，Ｉｆ４の電流値は０（Ａ）である。以下においては、前提Ｂ４においてＩｆ１，Ｉｆ２，Ｉｆ３，Ｉｆ４の電流値が、それぞれ、０，０，１２，０である状態を、「状態ＳＴｂ４」ともいう。
【０１１７】
なお、前提Ｂ４では、電流検出部１３０が検出する駆動電流Ｉｆ０の電流値は、１２（Ａ）である。また、前提Ｂ４において、制御部９００が取得するデジタルデータＤＤ０，ＤＤ１は、式５より、それぞれ、１２０，０を示す。
【０１１８】
この場合、ＤＤ０，ＤＤ１について、式６の関係が成立しない。したがって、制御部９００は、光源１１−１〜１１−４のいずれかが故障したと判定する。また、制御部９００は、さらに、短絡故障している故障光源（短絡故障光源）を特定するための順次オフ制御処理Ｔを行う。順次オフ制御処理Ｔでは、スイッチ１４−１〜１４−４のいずれかのみが、順次オフにされ、その後、オンにされる。
【０１１９】
具体的には、順次オフ制御処理Ｔでは、制御部９００は、短絡故障判定スイッチであるスイッチ１４−１〜１４−４のいずれかのみが、順次オフされるように、スイッチ制御回路１５−１〜１５−４を制御する。
【０１２０】
具体的には、順次オフ制御処理Ｔでは、まず、制御部９００は、スイッチ１４−２，１４−３，１４−４がオンを維持している状況で、スイッチ１４−１のみがオフされるように、スイッチ制御回路１５−１を制御する。スイッチ１４−１がオフされても、前提Ｂ４では、もともと光源１１−１には電流が流れない。そのため、ＤＤ０，ＤＤ１の値は変化しない。そして、制御部９００は、スイッチ１４−１がオンされるように、スイッチ制御回路１５−１を制御する。
【０１２１】
次に、制御部９００は、スイッチ１４−１，１４−３，１４−４がオンを維持している状況で、スイッチ１４−２のみがオフされるように、スイッチ制御回路１５−２を制御する。スイッチ１４−２がオフされても、前提Ｂ４では、もともと光源１１−２には電流が流れない。そのため、ＤＤ０，ＤＤ１の値は変化しない。そして、制御部９００は、スイッチ１４−２がオンされるように、スイッチ制御回路１５−２を制御する。
【０１２２】
次に、制御部９００は、スイッチ１４−１，１４−２，１４−４がオンを維持している状況で、スイッチ１４−３のみがオフされるように、スイッチ制御回路１５−３を制御する。スイッチ１４−３がオフされた状況において、短絡故障した光源１１−３には電流が流れない。そのため、１２（Ａ）の駆動電流Ｉｆ０を均等に３分割した４（Ａ）の電流が、光源１１−１，１１−２，１１−４の各々に流れる。この場合、電流Ｉｆ１，Ｉｆ２，Ｉｆ４の電流値は４（Ａ）である。そのため、光源１１−１，１１−２，１１−４は点灯する。これにより、前述の映像表示装置は、光源部１１０が発する光を利用して映像を正常に表示することができる。
【０１２３】
前述の一部オン状況において、スイッチ１４−３のみがオフされている場合、ＤＤ０，ＤＤ１は、式５より、それぞれ、１２０，４０を示す。すなわち、ＤＤ１の値が変化する。したがって、短絡故障特定スイッチは、スイッチ１４−３である。短絡故障光源の電流経路に設けられたスイッチ１４−３が短絡故障特定スイッチである場合、当該短絡故障光源は、光源１１−３である。これにより、制御部９００は、短絡故障光源が光源１１−３であると特定する。
【０１２４】
また、制御部９００は、光源１１−３を除く、正常光源である光源１１−１，１１−２，１１−４の各々に供給される電流の電流値（故障存在電流値）は、４（Ａ）であると特定する。故障存在電流値が、定格値（４．５（Ａ）以下であるため、制御部９００は、前述の駆動電流変更処理を行わない。これにより、光源１１−１，１１−２，１１−４は、そのまま点灯した状態を維持することができる。これにより、前述の映像表示装置は、光源部１１０が発する光を利用して映像を正常に表示することができる。
【０１２５】
次に、光源１１が開放故障した場合について説明する。ここで、前提Ａ１を伴う以下の前提Ｃ１における処理について説明する。前提Ｃ１では、駆動電流Ｉｆ０の電流値が１２（Ａ）である。また、前提Ｃ１では、光源１１−１が開放故障している。
【０１２６】
上記の前提Ｃ１の場合、光源１１−１の電流経路には、全く電流が流れない。一方、１２（Ａ）の駆動電流Ｉｆ０を均等に３分割した、４（Ａ）の電流が、光源１１−２，１１−３，１１−４の各々に流れる。そのため、電流Ｉｆ２，Ｉｆ３，Ｉｆ４の電流値は４（Ａ）である。以下においては、前提Ｃ１においてＩｆ１，Ｉｆ２，Ｉｆ３，Ｉｆ４の電流値が、それぞれ、０，４，４，４である状態を、「状態ＳＴｃ１」ともいう。
【０１２７】
なお、前提Ｃ１では、電流検出部１３０が検出する駆動電流Ｉｆ０の電流値は、１２（Ａ）である。また、前提Ｃ１では、前述したように、光源１１−１の電流経路には全く電流が流れないため、電流検出部１３１が検出する電流Ｉｆ１の電流値は、０（Ａ）である。
【０１２８】
また、前提Ｃ１において、制御部９００が取得するデジタルデータＤＤ０，ＤＤ１は、式５より、それぞれ、１２０，０を示す。この場合、ＤＤ０，ＤＤ１について、式６の関係が成立しない。したがって、制御部９００は、光源１１−１〜１１−４のいずれかが故障したと判定する。
【０１２９】
また、制御部９００は、さらに、開放故障している故障光源（開放故障光源）を特定するための順次オフ制御処理Ｋを行う。順次オフ制御処理Ｋでは、スイッチ１４−１〜１４−４のいずれかのみが、順次オフにされ、その後、オンにされる。
【０１３０】
順次オフ制御処理Ｋにより各スイッチ１４がオフされた場合でも、ＤＤ０，ＤＤ１の値が一度も変化しないならば、開放故障光源が存在し、当該開放故障光源は、光源１１−１である。
【０１３１】
一方、順次オフ制御処理Ｋにより各スイッチ１４が順次オフされることにより、ＤＤ０，ＤＤ１の値が変化するときと、ＤＤ０，ＤＤ１の値が変化しないときとが発生する場合、開放故障光源が存在する。また、当該開放故障光源は、オフされても、ＤＤ０，ＤＤ１の値を変化させなかったスイッチ１４を含む、光源１１の電流経路に存在する当該光源１１である。
【０１３２】
具体的には、順次オフ制御処理Ｋでは、制御部９００は、スイッチ１４−１〜１４−４のいずれかのみが、順次オフされるように、スイッチ制御回路１５−１〜１５−４を制御する。
【０１３３】
具体的には、順次オフ制御処理Ｋでは、まず、制御部９００は、スイッチ１４−２，１４−３，１４−４がオンを維持している状況で、スイッチ１４−１のみがオフされるように、スイッチ制御回路１５−１を制御する。スイッチ１４−１がオフされても、前提Ｃ１では、もともと光源１１−１には電流が流れない。そのため、ＤＤ０，ＤＤ１の値は変化しない。そして、制御部９００は、スイッチ１４−１がオンされるように、スイッチ制御回路１５−１を制御する。
【０１３４】
次に、制御部９００は、スイッチ１４−１，１４−３，１４−４がオンを維持している状況で、スイッチ１４−２のみがオフされるように、スイッチ制御回路１５−２を制御する。スイッチ１４−２がオフされても、前提Ｃ１では、もともと光源１１−２には電流が流れない。そのため、ＤＤ０，ＤＤ１の値は変化しない。そして、制御部９００は、スイッチ１４−２がオンされるように、スイッチ制御回路１５−２を制御する。
【０１３５】
次に、制御部９００は、スイッチ１４−１，１４−２，１４−４がオンを維持している状況で、スイッチ１４−３のみがオフされるように、スイッチ制御回路１５−３を制御する。この場合においても、前提Ｃ１では、ＤＤ０，ＤＤ１の値は変化しない。そして、制御部９００は、スイッチ１４−３がオンされるように、スイッチ制御回路１５−３を制御する。
【０１３６】
次に、制御部９００は、スイッチ１４−１，１４−２，１４−３がオンを維持している状況で、スイッチ１４−４のみがオフされるように、スイッチ制御回路１５−４を制御する。この場合においても、前提Ｃ１では、ＤＤ０，ＤＤ１の値は変化しない。そして、制御部９００は、スイッチ１４−４がオンされるように、スイッチ制御回路１５−４を制御する。
【０１３７】
前述したように、順次オフ制御処理Ｋにより各スイッチ１４がオフされた場合でも、ＤＤ０，ＤＤ１の値が一度も変化しないならば、開放故障光源が存在し、当該開放故障光源は、光源１１−１である。そのため、制御部９００は、開放故障光源が光源１１−１であると特定する。
【０１３８】
また、前提Ｃ１では、制御部９００は、光源１１−１を除く、正常光源である光源１１−２，１１−３，１１−４の各々に供給される電流の電流値（故障存在電流値）は、４（Ａ）であると特定する。故障存在電流値が、定格値（４．５（Ａ））以下であるため、制御部９００は、前述の駆動電流変更処理を行わない。これにより、光源１１−２，１１−３，１１−４は、そのまま点灯した状態を維持することができる。これにより、前述の映像表示装置は、光源部１１０が発する光を利用して映像を正常に表示することができる。
【０１３９】
次に、他の例として、前提Ａ１を伴う以下の前提Ｃ２における処理について説明する。前提Ｃ２では、駆動電流Ｉｆ０の電流値が１２（Ａ）である。また、前提Ｃ２では、光源１１−４が開放故障している。
【０１４０】
上記の前提Ｃ２の場合、光源１１−４の電流経路には、全く電流が流れない。そのため、電流Ｉｆ４の電流値は、０（Ａ）である。一方、１２（Ａ）の駆動電流Ｉｆ０を均等に３分割した、４（Ａ）の電流が、光源１１−１，１１−２，１１−３の各々に流れる。そのため、電流Ｉｆ１，Ｉｆ２，Ｉｆ３の電流値は４（Ａ）である。
【０１４１】
なお、前提Ｃ２では、電流検出部１３０が検出する駆動電流Ｉｆ０の電流値は、１２（Ａ）である。また、前提Ｃ２では、電流検出部１３１が検出する電流Ｉｆ１の電流値は、４（Ａ）である。以下においては、前提Ｃ２においてＩｆ１，Ｉｆ２，Ｉｆ３，Ｉｆ４の電流値が、それぞれ、４，４，４，０である状態を、「状態ＳＴｃ２」ともいう。
【０１４２】
また、前提Ｃ２において、制御部９００が取得するデジタルデータＤＤ０，ＤＤ１は、式５より、それぞれ、１２０，４０を示す。この場合、ＤＤ０，ＤＤ１について、式６の関係が成立しない。したがって、制御部９００は、光源１１−１〜１１−４のいずれかが故障したと判定する。
【０１４３】
また、制御部９００は、さらに、前述のように、開放故障している故障光源（開放故障光源）を特定するための順次オフ制御処理Ｋを行う。
【０１４４】
順次オフ制御処理Ｋでは、前述したように、まず、制御部９００は、スイッチ１４−２，１４−３，１４−４がオンを維持している状況で、スイッチ１４−１のみがオフされるように、スイッチ制御回路１５−１を制御する。これにより、光源１１−１の電流経路には、電流が流れなくなる。
【０１４５】
なお、前提Ｃ２では、電流検出部１３０が検出する駆動電流Ｉｆ０の電流値は、１２（Ａ）である。また、前提Ｃ２においてスイッチ１４−１のみがオフである場合、前述したように、光源１１−１の電流経路には、電流が流れなくなるため、電流検出部１３１が検出する電流Ｉｆ１の電流値は、４（Ａ）から０（Ａ）に変化する。そのため、ＤＤ０は１２０を維持し、ＤＤ１は、式５より、０となる。そして、制御部９００は、スイッチ１４−１がオンされるように、スイッチ制御回路１５−１を制御する。
【０１４６】
次に、制御部９００は、スイッチ１４−１，１４−３，１４−４がオンを維持している状況で、スイッチ１４−２のみがオフされるように、スイッチ制御回路１５−２を制御する。これにより、開放故障光源である光源１１−４に加え、光源１１−２にも電流が流れなくなる。そのため、１２（Ａ）の駆動電流Ｉｆ０を２分割した、６（Ａ）の電流が、光源１１−１，１１−３の各々に流れる。すなわち、電流Ｉｆ１，Ｉｆ３の電流値は６（Ａ）である。したがって、ＤＤ０は１２０を維持し、ＤＤ１は、式５より、６０となる。そして、制御部９００は、スイッチ１４−２がオンされるように、スイッチ制御回路１５−２を制御する。
【０１４７】
次に、制御部９００は、スイッチ１４−１，１４−２，１４−４がオンを維持している状況で、スイッチ１４−３のみがオフされるように、スイッチ制御回路１５−３を制御する。これにより、開放故障光源である光源１１−４に加え、光源１１−３にも電流が流れなくなる。そのため、１２（Ａ）の駆動電流Ｉｆ０を２分割した、６（Ａ）の電流が、光源１１−１，１１−２の各々に流れる。すなわち、電流Ｉｆ１，Ｉｆ２の電流値は６（Ａ）である。したがって、ＤＤ０は１２０を維持し、ＤＤ１は、式５より、６０となる。そして、制御部９００は、スイッチ１４−３がオンされるように、スイッチ制御回路１５−３を制御する。
【０１４８】
次に、制御部９００は、スイッチ１４−１，１４−２，１４−３がオンを維持している状況で、スイッチ１４−４のみがオフされるように、スイッチ制御回路１５−４を制御する。スイッチ１４−４がオフされても、前提Ｃ２では、もともと光源１１−４には電流が流れない。したがって、電流Ｉｆ１，Ｉｆ２，Ｉｆ３，Ｉｆ４は変化しない。すなわち、電流Ｉｆ１，Ｉｆ２，Ｉｆ３の電流値は４（Ａ）である。また、電流Ｉｆ４の電流値は、０（Ａ）である。
【０１４９】
なお、前提Ｃ２では、電流検出部１３０が検出する駆動電流Ｉｆ０の電流値は、１２（Ａ）である。また、前提Ｃ２では、電流検出部１３１が検出する電流Ｉｆ１の電流値は、４（Ａ）である。
【０１５０】
また、前提Ｃ２において、制御部９００が取得するデジタルデータＤＤ０，ＤＤ１は、式５より、それぞれ、１２０，４０を示す。そして、制御部９００は、スイッチ１４−４がオンされるように、スイッチ制御回路１５−４を制御する。
【０１５１】
前述したように、順次オフ制御処理Ｋにより各スイッチ１４が順次オフされることにより、ＤＤ０，ＤＤ１の値が変化するときと、ＤＤ０，ＤＤ１の値が変化しないときとが発生する場合、開放故障光源が存在する。また、当該開放故障光源は、オフされても、ＤＤ０，ＤＤ１の値を変化させなかったスイッチ１４を含む、光源１１の電流経路に存在する当該光源１１である。なお、上記の前提Ｃ２では、ＤＤ０，ＤＤ１の値を変化させなかったスイッチは、スイッチ１４−４である。そのため、開放故障光源は、スイッチ１４−４を含む、光源１１−４の電流経路に存在する当該光源１１−４である。そのため、制御部９００は、開放故障光源が光源１１−４であると特定する。
【０１５２】
また、制御部９００は、光源１１−４を除く、正常光源である光源１１−１，１１−２，１１−３の各々に供給される電流の電流値（故障存在電流値）は、４（Ａ）であると特定する。故障存在電流値が、定格値（４．５（Ａ））以下であるため、制御部９００は、前述の駆動電流変更処理を行わない。これにより、光源１１−１，１１−２，１１−３は、そのまま点灯した状態を維持することができる。これにより、前述の映像表示装置は、光源部１１０が発する光を利用して映像を正常に表示することができる。
【０１５３】
次に、制御部９００が、上記処理を行うための処理（以下、駆動電流管理処理ともいう）について説明する。図４は、駆動電流管理処理のフローチャートである。以下においては、一例として、以下の前提Ｄ１における駆動電流管理処理について説明する。
【０１５４】
前提Ｄ１では、光源制御装置１０００の構成は、図２に示す構成である。すなわち、前提Ｄ１では、光源部１１０は、光源１１−１，１１−２，１１−３，１１−４を含む。また、前提Ｄ１では、光源１１−１〜１１−４の各々の定格値（定格電流）は、４．５（Ａ）である。
【０１５５】
駆動電流管理処理では、まず、ステップＳ１１０の処理が行われる。以下においては、前述の目標輝度を得るために、使用者が所望する駆動電流Ｉｆ０の電流値を、「所望電流値」ともいう。
【０１５６】
ステップＳ１１０では、駆動電流設定処理が行われる。駆動電流設定処理では、制御部９００は、電流供給部１００に対し、当該電流供給部１００が供給する駆動電流Ｉｆ０の電流値の設定を行う。具体的には、制御部９００が、電流供給部１００を制御して、駆動電流Ｉｆ０の電流値を、所望電流値に設定する。前述したように、所望電流値に設定された駆動電流Ｉｆ０の電流値を、「設定電流値」ともいう。これにより、電流供給部１００は、設定電流値（所望電流値）の駆動電流Ｉｆ０を、光源部１１０に供給する。
【０１５７】
次に、前述したように、前述した実電流値が設定電流値と等しくなるようにするために、以下のステップＳ１２１の処理が行われる。ステップＳ１２１では、ＤＤ０の取得が行われる。具体的には、制御部９００が、ＡＤコンバータ２００から最新のデジタルデータＤＤ０を取得する（リードする）。
【０１５８】
ステップＳ１２２では、実電流値が設定電流値と等しいか否かを判定する。具体的には、制御部９００が、前述の式５、すなわち、ＤＤ０＝Ｉｆ０×１０の関係が成立しているか否かを判定する。ステップＳ１２２においてＹＥＳならば、処理はステップＳ１３０へ移行する。一方、ステップＳ１２２においてＮＯならば、処理はステップＳ１２３へ移行する。
【０１５９】
ステップＳ１２３では、電流値変更処理が行われる。電流値変更処理では、実電流値が設定電流値より大きい場合、制御部９００は、電流供給部１００を制御して、現在の実電流値が小さくなるように、現在の設定電流値を、当該設定電流値より小さくする。例えば、現在の設定電流値を、０．９倍にする。
【０１６０】
一方、実電流値が設定電流値より小さい場合、制御部９００は、電流供給部１００を制御して、現在の実電流値が大きくなるように、現在の設定電流値を、当該設定電流値より大きくする。例えば、現在の設定電流値を、１．１倍にする。そして、再度、ステップＳ１２１の処理が行われる。ステップＳ１２２でＹＥＳと判定されるまで、ステップＳ１２１，Ｓ１２３の処理が繰り返し行われる。これにより、実電流値が設定電流値と等しくなるように制御される。
【０１６１】
ステップＳ１３０では、計測処理が行われる。計測処理では、制御部９００が、ＡＤコンバータ２００から最新のデジタルデータＤＤ０，ＤＤ１を取得する（リードする）。
【０１６２】
以下においては、光源１１−１〜１１−ｍにおいて、故障している故障光源が存在しない状態を、「正常状態」ともいう。すなわち、正常状態とは、光源部１１０に故障光源が存在しない状態である。なお、正常状態は、電流Ｉｆ１〜Ｉｆｍの電流値が、０より大きい値であって、かつ、各光源１１の定格値（４．５）以下の値である状態である。正常状態は、例えば、前述の状態ＳＴａまたは状態ＳＴｂ２である。
【０１６３】
また、以下においては、光源１１−１〜１１−ｍにおいて、短絡故障光源が存在する状態を、「短絡故障状態」ともいう。短絡故障状態は、例えば、前述の状態ＳＴｂ１、状態ＳＴｂ３または状態ＳＴｂ４である。また、以下においては、光源１１−１〜１１−ｍにおいて、開放故障光源が存在する状態を、「開放故障状態」ともいう。開放故障状態は、例えば、前述の状態ＳＴｃ１または状態ＳＴｃ２である。
【０１６４】
ステップＳ１４０では、状態判定処理が行われる。状態判定処理では、制御部９００が、デジタルデータＤＤ０，ＤＤ１に基づいて、故障光源が存在するか否かを判定する。具体的には、状態判定処理では、制御部９００が、デジタルデータＤＤ０，ＤＤ１が示す値から、光源部１１０の状態が、正常状態、短絡故障状態および開放故障状態のいずれであるか判定する。
【０１６５】
なお、デジタルデータＤＤ０は、電流検出部１３０が検出する駆動電流Ｉｆ０の電流値に基づくデータである。また、デジタルデータＤＤ１は、電流検出部１３１が検出する電流Ｉｆ１の電流値に基づくデータである。すなわち、状態判定処理では、制御部９００が、電流検出部１３０により検出された駆動電流Ｉｆ０、および、電流検出部１３１により検出された電流Ｉｆ１に基づいて、光源部１１０に含まれる複数の光源１１において故障光源が存在するか否かを判定する。つまり、状態判定処理は、電流検出部１３０により検出された駆動電流Ｉｆ０、および、電流検出部１３１により検出された電流Ｉｆ１に基づいて、光源部１１０に含まれる複数の光源１１において故障光源が存在するか否かを判定する処理である。
【０１６６】
まず、状態判定処理では、ステップＳ１４１の処理が行われる。ステップＳ１４１では、制御部９００は、ＤＤ０，ＤＤ１について、式６（ＤＤ０＝ＤＤ１×４）の関係が成立するか否かを判定する。ＤＤ０，ＤＤ１について、ＤＤ０＝ＤＤ１×４の関係が成立する場合（Ｓ１４１でＹＥＳの場合）、制御部９００は、光源部１１０の状態が正常状態であると判定する。この場合、処理は、再度、ステップＳ１３０へ移行する。
【０１６７】
一方、ＤＤ０，ＤＤ１について、ＤＤ０＝ＤＤ１×４の関係が成立しない場合（Ｓ１４１でＮＯ）、制御部９００は、光源部１１０の状態が、短絡故障状態および開放故障状態のいずれかであると判定する。すなわち、ＤＤ０＝ＤＤ１×４の関係が成立しない場合、制御部９００は、故障光源が存在すると判定する。この場合、処理はステップＳ１４２へ移行する。
【０１６８】
ステップＳ１４２では、制御部９００が、ＤＤ０，ＤＤ１について、ＤＤ０＝ＤＤ１の関係が成立するか否かを判定する。ＤＤ０＝ＤＤ１の関係が成立する場合、制御部９００は、光源部１１０の状態が短絡故障状態であると判定する。すなわち、制御部９００は、短絡故障光源が存在すると判定する。
【０１６９】
ステップＳ１４２においてＹＥＳならば、処理はステップＳ２００へ移行する。一方、ステップＳ１４２においてＮＯならば、処理は後述のステップＳ１４３へ移行する。
【０１７０】
ステップＳ２００では、故障光源特定処理が行われる。故障光源特定処理では、制御部９００が、デジタルデータＤＤ０，ＤＤ１に基づいて、故障光源を特定する。前述したように、デジタルデータＤＤ０は、電流検出部１３０が検出する駆動電流Ｉｆ０の電流値に基づくデータである。また、デジタルデータＤＤ１は、電流検出部１３１が検出する電流Ｉｆ１の電流値に基づくデータである。すなわち、故障光源特定処理では、制御部９００は、駆動電流Ｉｆ０、および、電流Ｉｆ１に基づいて、故障光源を特定する。
【０１７１】
故障光源特定処理は、ステップＳ２１０，Ｓ２２０，Ｓ２３０，Ｓ２４０，Ｓ２５０，Ｓ２６０，Ｓ２７０，Ｓ２８０を含む。詳細は後述するが、ステップＳ２１０，Ｓ２２０，Ｓ２３０，Ｓ２４０の各々では、制御部９００が、駆動電流Ｉｆ０、および、電流Ｉｆ１に基づいて、短絡故障光源を特定する。また、詳細は後述するが、ステップＳ２５０，Ｓ２６０，Ｓ２７０，Ｓ２８０の各々では、制御部９００が、駆動電流Ｉｆ０、および、電流Ｉｆ１に基づいて、開放故障光源を特定する。
【０１７２】
前述のステップＳ１４２においてＹＥＳならば処理は、ステップＳ２１０へ移行する。
【０１７３】
ステップＳ２１０では、ＤＤ０，ＤＤ１について、ＤＤ０＝ＤＤ１の関係が成立しているため、前述の前提Ｂ１の処理と同様、制御部９００は、光源１１−１が短絡故障していると判定する。すなわち、制御部９００は、短絡故障光源は光源１１−１であると判定する。そして、処理はステップＳ３００へ移行する。
【０１７４】
ステップＳ３００では、駆動電流制御処理が行われる。駆動電流制御処理は、制御部９００が、故障光源が存在する状況において、駆動電流の最適化（制御）を行うための処理である。
【０１７５】
駆動電流制御処理は、ステップＳ３１０，Ｓ３２０，Ｓ３３０，Ｓ３４０，Ｓ３５０，Ｓ３６０，Ｓ３７０，Ｓ３８０を含む。前述のステップＳ２１０の処理の後、処理はステップＳ３１０へ移行する。
【０１７６】
ステップＳ３１０では、処理Ｃ１が行われる。処理Ｃ１では、制御部９００が、前述の電流判定処理を行う。電流判定処理では、前述したように、前述の式７の関係が成立しているか否かを判定する。式７の関係が成立している場合、この処理Ｃ１は終了し、処理は、ステップＳ４００へ移行する。
【０１７７】
一方、式７の関係が成立していない場合、前述の駆動電流変更処理が行われる。駆動電流変更処理では、制御部９００が、電流供給部１００が、１以上の正常光源へ供給する電流の電流値を当該正常光源の定格値以下にするための処理を行うように、当該電流供給部１００を制御する。具体的には、駆動電流変更処理では、制御部９００が、電流供給部１００を制御して、式７の関係が成立するように、駆動電流Ｉｆ０の値を変更する。
【０１７８】
ここで、前述の提Ｄ１を伴う以下の前提Ｅ１における駆動電流変更処理について説明する。前提Ｅ１では、光源１１−１が短絡故障している。また、前提Ｅ１では、仮に、スイッチ１４−１がオフされていると仮定する。また、前提Ｅ１では、駆動電流Ｉｆ０の電流値が１５（Ａ）である。すなわち、前提Ｅ１の場合、１５÷３＝５より、正常光源である光源１１−２〜１１−４の各々には、定格値（４．５）より大きい５（Ａ）の電流が供給される予定である。
【０１７９】
上記の前提Ｅ１における駆動電流変更処理では、前述の前提Ｂ３における駆動電流変更処理と同様、制御部９００が、電流供給部１００を制御して、設定電流値１５（Ａ）を、１３（Ａ）に変更する。言い換えれば、電流供給部１００が、制御部９００からの制御に従い、式７の関係が成立するように、設定電流値１５（Ａ）を、１３（Ａ）に変更する。すなわち、電流供給部１００は、正常光源である光源１１−２〜１１−４の各々へ供給する電流の電流値を当該正常光源の定格値（４．５）以下にするための処理を行う。
【０１８０】
これにより、電流供給部１００は、仮にスイッチ１４−１がオフされている場合、１３（Ａ）の駆動電流Ｉｆ０を、光源１１−２〜１１−４全体へ供給する。なお、１３÷３＝４．３３であるため、式７の関係が成立する。したがって、仮にスイッチ１４−１がオフされている場合、正常光源である光源１１−２〜１１−４の各々には、当該正常光源の定格値（４．５）以下の４．３３（Ａ）の電流が供給される予定である。
【０１８１】
以上により、故障光源が存在する状況において行われる処理Ｃ１では、制御部９００は、式７の関係が成立していない場合電流供給部１００を制御し、式７の関係が成立している場合電流供給部１００を制御しない。
【０１８２】
ステップＳ４００では、前述のスイッチ制御処理が行われる。スイッチ制御処理では、短絡故障光源が存在する場合、制御部９００は、スイッチ制御回路１５を制御して（介して）、スイッチ部１４０が、短絡故障光源への電流の供給を停止させるように、当該スイッチ部１４０を制御する。
【０１８３】
スイッチ制御処理は、ステップＳ４１０，Ｓ４２０，Ｓ４３０，Ｓ４４０，Ｓ４５０，Ｓ４６０，Ｓ４７０，Ｓ４８０を含む。詳細は後述するが、ステップＳ４１０，Ｓ４２０，Ｓ４３０，Ｓ４４０の各々では、制御部９００は、スイッチ制御回路１５を制御して（介して）、スイッチ部１４０が、短絡故障光源への電流の供給を停止させるように、当該スイッチ部１４０を制御する。
【０１８４】
前述のステップＳ３１０の処理の後、処理はステップＳ４１０へ移行する。
【０１８５】
ステップＳ４１０では、処理Ｓ１が行われる。処理Ｓ１では、前述した前提Ｂ１におけるスイッチ制御処理と同様な処理が行われる。まず、制御部９００は、スイッチ制御回路１５を制御して、スイッチ部１４０のスイッチ１４−１が、短絡故障光源である光源１１−１への電流の供給を停止させるように、当該スイッチ部１４０を制御する。具体的には、制御部９００は、スイッチ制御回路１５−１を制御して、スイッチ部１４０のスイッチ１４−１が、短絡故障光源である光源１１−１への電流の供給を停止させるように、当該スイッチ１４−１をオフにする。
【０１８６】
より具体的には、制御部９００は、光源１１−１の電流経路に設けられているスイッチ１４−１の制御信号Ｓ１のレベルを、“Ｈ”から“Ｌ”にするよう、信号線４０を介して、スイッチ制御回路１５−１を制御する。これにより、例えば、前述の前提Ｅ１における駆動電流変更処理が行われた場合、１３（Ａ）の駆動電流Ｉｆ０を均等に３分割した４．３３（Ａ）の電流が、正常光源である光源１１−２〜１１−４の各々へ均等に供給される。したがって、光源１１−２〜１１−４は点灯する。
【０１８７】
これにより、短絡故障光源への電流供給が停止されるとともに、電流供給部１００は、正常光源である光源１１−２〜１１−４への電流の持続的な供給を行う。すなわち、短絡故障光源が存在する場合、ステップＳ３１０，Ｓ４１０が行われることにより、制御部９００は以下の処理Ｎ１を行うことになる。
【０１８８】
処理Ｎ１では、前述の式７の関係が成立していない場合、制御部９００は、正常光源への電流の持続的な供給が行われるように、電流供給部１００およびスイッチ部１４０を前述したように制御する。一方、当該処理Ｎ１では、前述の式７の関係が成立している場合、制御部９００は、正常光源への電流の持続的な供給が行われるように、スイッチ部１４０を前述したように制御する。すなわち、制御部９００は、故障光源（短絡故障光源）が存在する場合、正常光源への電流の持続的な供給が行われるように、電流供給部１００およびスイッチ部１４０の少なくとも一方を制御する。
【０１８９】
これにより、スイッチ部１４０は、短絡故障光源への電流供給を停止させるとともに、電流供給部１００は、正常光源への電流の持続的な供給を行う。
【０１９０】
以上により、光源部１１０（光源１１−２，１１−３，１１−４）は、前述の映像表示装置が、映像を表示するための光源として利用される。
【０１９１】
ステップＳ４１０の処理の後、ステップＳ５００が行われる。ステップＳ５００では、情報表示処理が行われる。情報表示処理では、制御部９００が、前述の映像表示装置に対し、故障した光源１１の情報（以下、「故障光源情報」ともいう）を表示させる制御を行う。
【０１９２】
これにより、映像表示装置は、例えば、ＯＳＤ（On Screen Display）の機能により、故障光源情報を表示する。故障光源情報は、例えば、どの光源１１が故障したかを報知するとともに、故障した光源１１の交換を促すためのメッセージ等である。これにより、使用者は、どの光源１１が故障したかを容易に知ることができる。
【０１９３】
次に、前述のステップＳ１４２においてＮＯの場合の処理について説明する。前述したように、ステップＳ１４２においてＮＯならば、処理はステップＳ１４３へ移行する。
【０１９４】
ステップＳ１４３では、制御部９００が、ＤＤ１＝０であるか否かを判定する。なお、ＤＤ１＝０である場合、制御部９００は、光源部１１０の状態が短絡故障状態および開放故障状態のいずれかであると判定する。ステップＳ１４３においてＹＥＳならば、処理はステップＳ１５０へ移行する。一方、ステップＳ１４３においてＮＯならば、処理は後述のステップＳ１４４へ移行する。
【０１９５】
ステップＳ１５０では、状態判定処理Ａ１が行われる。状態判定処理Ａ１は、制御部９００が、デジタルデータＤＤ０，ＤＤ１が示す値から、光源部１１０の状態が、短絡故障状態および開放故障状態のいずれであるか判定する。また、状態判定処理Ａ１では、制御部９００が、順次オフ制御処理Ｘを行う。順次オフ制御処理Ｘは、前述の順次オフ制御処理Ｔまたは前述の順次オフ制御処理Ｋと同じ処理である。なお、順次オフ制御処理Ｔ，Ｋの詳細は前述したので、順次オフ制御処理Ｘの詳細な説明は繰り返さない。
【０１９６】
順次オフ制御処理Ｘでは、順次オフ制御処理Ｔ，Ｋと同様、スイッチ１４−１〜１４−４のいずれかのみが、順次オフにされ、その後、オンにされる。
【０１９７】
制御部９００は、順次オフ制御処理Ｘにより、各スイッチ１４がオフされる毎に、以下の式８の関係が成立しているか否かを判定する。
【０１９８】
【数８】
2016071981.tif 000010
【０１９９】
以下においては、スイッチ１４−１，１４−３，１４−４がオンであり、かつ、スイッチ１４−２がオフされているときに、式８の関係が成立する状態を、「状態ＳＴｘ２」ともいう。また、以下においては、スイッチ１４−１，１４−２，１４−４がオンであり、かつ、スイッチ１４−３がオフされているときに、式８の関係が成立する状態を、「状態ＳＴｘ３」ともいう。また、以下においては、スイッチ１４−１，１４−２，１４−３がオンであり、かつ、スイッチ１４−４がオフされているときに、式８の関係が成立する状態を、「状態ＳＴｘ４」ともいう。
【０２００】
なお、ＤＤ１＝０である場合、状態ＳＴｘ２，ＳＴｘ３，ＳＴｘ４の各々では、順次オフ制御処理Ｘによりオフされたスイッチ１４を含む電流経路に設けられている、光源１１−２，１１−３，１１−４のいずれかが、短絡故障光源である。例えば、状態ＳＴｘ２では、順次オフ制御処理Ｘによりオフされたスイッチ１４−２を含む電流経路に設けられている光源１１−２が、短絡故障光源である。また、例えば、状態ＳＴｘ４では、順次オフ制御処理Ｘによりオフされたスイッチ１４−４を含む電流経路に設けられている光源１１−４が、短絡故障光源である。
【０２０１】
また、以下においては、順次オフ制御処理Ｘによりスイッチ１４−１〜１４−４が順次オフされた場合でも、ＤＤ１＝０が維持され、かつ、式８の関係が成立しない状態を、「状態ＳＴｘ１」ともいう。すなわち、状態ＳＴｘ１は、スイッチ１４−１〜１４−４が順次オフされた場合でも、ＤＤ０，ＤＤ１の値が変化しない状態である。
【０２０２】
状態判定処理Ａ１において、順次オフ制御処理Ｘにより、スイッチ１４−１〜１４−４のいずれかがオフされたときに前述の状態ＳＴｘ２，ＳＴｘ３，ＳＴｘ４，ＳＴｘ１のいずれかが発生する。
【０２０３】
状態判定処理Ａ１において状態ＳＴｘ２が発生した場合、スイッチ１４−２がオフにされたまま、処理は、故障光源特定処理（Ｓ２００）に含まれるステップＳ２２０へ移行する。ここで、一例として、駆動電流Ｉｆ０の電流値が１２（Ａ）であり、ＤＤ０＝１２０であるとする。この場合、状態ＳＴｘ２では、Ｉｆ１，Ｉｆ２，Ｉｆ３，Ｉｆ４の電流値は、それぞれ、４，０，４，４である。また、ＤＤ０，ＤＤ１は、それぞれ、４０，１２０である。
【０２０４】
ステップＳ２２０では、状態ＳＴｘ２において、ＤＤ１＝０であり、かつ、式８の関係が成立しているため、制御部９００は、光源１１−２が短絡故障していると判定する。すなわち、制御部９００は、短絡故障光源は光源１１−２であると判定する。また、制御部９００は、光源部１１０の状態が、短絡故障状態であると判定する。そして、処理は、駆動電流制御処理（Ｓ３００）に含まれるステップＳ３２０へ移行する。
【０２０５】
ステップＳ３２０では、処理Ｃ２が行われる。処理Ｃ２は、前述の処理Ｃ１と同じであるので詳細な説明は繰り返さない。そして、処理は、スイッチ制御処理（Ｓ４００）に含まれるステップＳ４２０へ移行する。
【０２０６】
ステップＳ４２０では、処理Ｓ２が行われる。処理Ｓ２では、制御部９００が、スイッチ制御回路１５を制御して（介して）、スイッチ１４−２がオフを維持するように、スイッチ部１４０を制御する。この場合、光源１１−１，１１−３，１１−４は点灯し、当該光源１１−１，１１−３，１１−４は、前述の映像表示装置が映像を表示するための光源として利用される。そして、ステップＳ４２０の処理の後、前述のステップＳ５００が行われる。
【０２０７】
また、状態判定処理Ａ１において前述の状態ＳＴｘ３が発生した場合、スイッチ１４−３がオフにされたまま、処理は、故障光源特定処理（Ｓ２００）に含まれるステップＳ２３０へ移行する。状態判定処理Ａ１における状態ＳＴｘ３は、前述の状態ＳＴｂ４と同じである。そのため、状態ＳＴｘ３では、ＤＤ０，ＤＤ１は、それぞれ、４０，１２０である。
【０２０８】
ステップＳ２３０では、状態ＳＴｘ３において、ＤＤ１＝０であり、かつ、式８の関係が成立しているため、制御部９００は、光源１１−３が短絡故障していると判定する。すなわち、制御部９００は、短絡故障光源は光源１１−３であると判定する。また、制御部９００は、光源部１１０の状態が、短絡故障状態であると判定する。そして、処理は、駆動電流制御処理（Ｓ３００）に含まれるステップＳ３３０へ移行する。
【０２０９】
ステップＳ３３０では、処理Ｃ３が行われる。処理Ｃ３は、前述の処理Ｃ１と同じであるので詳細な説明は繰り返さない。そして、処理は、スイッチ制御処理（Ｓ４００）に含まれるステップＳ４３０へ移行する。
【０２１０】
ステップＳ４３０では、処理Ｓ３が行われる。処理Ｓ３では、制御部９００が、スイッチ制御回路１５を制御して（介して）、スイッチ１４−３がオフを維持するように、スイッチ部１４０を制御する。この場合、光源１１−１，１１−２，１１−４は点灯し、当該光源１１−１，１１−２，１１−４は、前述の映像表示装置が映像を表示するための光源として利用される。そして、ステップＳ４３０の処理の後、前述のステップＳ５００が行われる。
【０２１１】
また、状態判定処理Ａ１において前述の状態ＳＴｘ４が発生した場合、スイッチ１４−４がオフにされたまま、処理は、故障光源特定処理（Ｓ２００）に含まれるステップＳ２４０へ移行する。
【０２１２】
ステップＳ２４０では、状態ＳＴｘ４において、ＤＤ１＝０であり、かつ、式８の関係が成立しているため、制御部９００は、光源１１−４が短絡故障していると判定する。すなわち、制御部９００は、短絡故障光源は光源１１−４であると判定する。また、制御部９００は、光源部１１０の状態が、短絡故障状態であると判定する。そして、処理は、駆動電流制御処理（Ｓ３００）に含まれるステップＳ３４０へ移行する。
【０２１３】
ステップＳ３４０では、処理Ｃ４が行われる。処理Ｃ４は、前述の処理Ｃ１と同じであるので詳細な説明は繰り返さない。そして、処理は、スイッチ制御処理（Ｓ４００）に含まれるステップＳ４４０へ移行する。
【０２１４】
ステップＳ４４０では、処理Ｓ４が行われる。処理Ｓ４では、制御部９００が、スイッチ制御回路１５を制御して（介して）、スイッチ１４−４がオフを維持するように、スイッチ部１４０を制御する。この場合、光源１１−１，１１−２，１１−３は点灯すし、当該光源１１−１，１１−２，１１−３は、前述の映像表示装置が映像を表示するための光源として利用される。そして、ステップＳ４４０の処理の後、前述のステップＳ５００が行われる。
【０２１５】
また、状態判定処理Ａ１において前述の状態ＳＴｘ１が発生した場合、処理は、故障光源特定処理（Ｓ２００）に含まれるステップＳ２５０へ移行する。状態ＳＴｘ１は、前述したように、スイッチ１４−１〜１４−４が順次オフされた場合でも、ＤＤ１＝０が維持され、かつ、式８の関係が成立しない。すなわち、状態ＳＴｘ１は、スイッチ１４−１〜１４−４が順次オフされた場合でも、ＤＤ０，ＤＤ１の値が変化しない状態である。なお、状態ＳＴｘ１では、開放故障光源が存在し、当該開放故障光源は、光源１１−１である。
【０２１６】
ステップＳ２５０では、スイッチ１４−１〜１４−４が順次オフされた場合でも、ＤＤ１＝０が維持され、式８の関係が成立しないため、制御部９００は、前述の順次オフ制御処理Ｋにおける判定と同様に、光源１１−１が開放故障していると判定する。すなわち、制御部９００は、開放故障光源は光源１１−１であると判定する。また、制御部９００は、光源部１１０の状態が、開放故障状態であると判定する。そして、処理は、駆動電流制御処理（Ｓ３００）に含まれるステップＳ３５０へ移行する。
【０２１７】
ステップＳ３５０では、処理Ｃ５が行われる。処理Ｃ５は、前述の処理Ｃ１と同じであるので詳細な説明は繰り返さない。以下、簡単に説明する。処理Ｃ５では、式７の関係が成立している場合、この処理Ｃ５は終了し、処理は、スイッチ制御処理（Ｓ４００）に含まれるステップＳ４５０へ移行する。
【０２１８】
一方、処理Ｃ５では、式７の関係が成立していない場合、前述の駆動電流変更処理が行われる。駆動電流変更処理では、制御部９００が、電流供給部１００が、１以上の正常光源へ供給する電流の電流値を当該正常光源の定格値以下にするための処理を行うように、当該電流供給部１００を制御する。具体的には、駆動電流変更処理では、制御部９００が、電流供給部１００を制御して、式７の関係が成立するように、駆動電流Ｉｆ０の値を、変更する。例えば、電流供給部１００は、正常光源である光源１１−２〜１１−４の各々へ供給する電流の電流値を当該正常光源の定格値（４．５）以下にするための処理を行う。そして、処理は、スイッチ制御処理（Ｓ４００）に含まれるステップＳ４５０へ移行する。
【０２１９】
以上により、故障光源が存在する状況において行われる処理Ｃ５では、制御部９００は、式７の関係が成立していない場合電流供給部１００を制御し、式７の関係が成立している場合電流供給部１００を制御しない。
【０２２０】
ステップＳ４５０では、処理Ｓ５が行われる。処理Ｓ５は、前述の処理Ｓ１と同様な処理である。すなわち、処理Ｓ５では、制御部９００が、スイッチ制御回路１５を制御して（介して）、スイッチ１４−１がオフするように、スイッチ部１４０を制御する。この場合、光源１１−２，１１−３，１１−４は点灯し、当該１１−２，１１−３，１１−４は、前述の映像表示装置が映像を表示するための光源として利用される。そして、ステップＳ４５０の処理の後、前述のステップＳ５００が行われる。
【０２２１】
なお、開放故障光源が存在する場合、ステップＳ３５０，Ｓ４５０が行われることにより、制御部９００は以下の処理Ｎ２を行うことになる。処理Ｎ２では、前述の式７の関係が成立していない場合、制御部９００は、正常光源への電流の持続的な供給が行われるように、電流供給部１００およびスイッチ部１４０を前述したように制御する。一方、当該処理Ｎ２では、前述の式７の関係が成立している場合、制御部９００は、正常光源への電流の持続的な供給が行われるように、スイッチ部１４０を前述したように制御する。すなわち、制御部９００は、故障光源（開放故障光源）が存在する場合、正常光源への電流の持続的な供給が行われるように、電流供給部１００およびスイッチ部１４０の少なくとも一方を制御する。
【０２２２】
次に、前述のステップＳ１４３においてＮＯの場合の処理について説明する。前述したように、ステップＳ１４３においてＮＯならば、処理はステップＳ１４４へ移行する。
【０２２３】
ステップＳ１４４では、制御部９００が、式８の関係が成立していると判定する。そして、処理は、ステップＳ１６０へ移行する。
【０２２４】
以下においては、ＤＤ１が０でなく、かつ、式８の関係が成立している状態を、「状態Ｋ１」ともいう。状態Ｋ１では、Ｉｆ１が０（Ａ）ではない。なお、光源部１１０が駆動しているときに、状態Ｋ１が発生した場合、光源部１１０の状態は、開放故障状態である（すなわち、開放故障光源が存在する）。また、状態Ｋ１では、各光源１１に対応するスイッチ１４のみを順次オフにしたときに式８の関係が維持される場合、当該光源１１が開放故障光源である。
【０２２５】
ステップＳ１６０では、状態判定処理Ａ２が行われる。状態判定処理Ａ２は、制御部９００が、デジタルデータＤＤ０，ＤＤ１が示す値から、光源部１１０の状態を判定する。状態判定処理Ａ２は、前述の状態Ｋ１において行われる。前述したように、光源部１１０が駆動しているときに、状態Ｋ１が発生した場合、光源部１１０の状態が、開放故障状態である（すなわち、開放故障光源が存在する）。
【０２２６】
そのため、状態判定処理Ａ２では、制御部９００が、光源部１１０の状態が、開放故障状態であると判定する。また、状態判定処理Ａ２では、制御部９００が、順次オフ制御処理Ｚを行う。順次オフ制御処理Ｚは、前述の順次オフ制御処理Ｋと同じ処理である。なお、順次オフ制御処理Ｋの詳細は前述したので、順次オフ制御処理Ｚの詳細な説明は繰り返さない。
【０２２７】
順次オフ制御処理Ｚでは、順次オフ制御処理Ｋと同様、スイッチ１４−１〜１４−４のいずれかのみが、順次オフにされ、その後、オンにされる。状態判定処理Ａ２において、順次オフ制御処理Ｚにより、スイッチ１４−１〜１４−４のいずれかがオフされたときに前述の状態ＳＴｘ２，ＳＴｘ３，ＳＴｘ４のいずれかが発生する。
【０２２８】
なお、状態ＳＴｘ２，ＳＴｘ３，ＳＴｘ４の各々では、順次オフ制御処理Ｚによりスイッチ１４がオフされたときに、ＤＤ１が０でなく、かつ、式８の関係が成立している場合、当該スイッチ１４を含む電流経路に設けられている、光源１１−２，１１−３，１１−４のいずれかが、開放故障光源である。例えば、状態ＳＴｘ２では、順次オフ制御処理Ｚによりオフされたスイッチ１４−２を含む電流経路に設けられている光源１１−２が、開放故障光源である。また、例えば、状態ＳＴｘ４では、順次オフ制御処理Ｚによりオフされたスイッチ１４−４を含む電流経路に設けられている光源１１−４が、開放故障光源である。
【０２２９】
状態判定処理Ａ２において状態ＳＴｘ２が発生した場合、スイッチ１４−２がオフにされたまま、処理は、故障光源特定処理（Ｓ２００）に含まれるステップＳ２６０へ移行する。
【０２３０】
ステップＳ２６０では、状態ＳＴｘ２において、ＤＤ１が０でなく、かつ、式８の関係が成立しているため、制御部９００は、光源１１−２が開放故障していると判定する。すなわち、制御部９００は、開放故障光源は光源１１−２であると判定する。また、制御部９００は、光源部１１０の状態が、開放故障状態であると判定する。そして、処理は、駆動電流制御処理（Ｓ３００）に含まれるステップＳ３６０へ移行する。
【０２３１】
ステップＳ３６０では、処理Ｃ６が行われる。処理Ｃ６は、前述の処理Ｃ１と同じであるので詳細な説明は繰り返さない。そして、処理は、スイッチ制御処理（Ｓ４００）に含まれるステップＳ４６０へ移行する。
【０２３２】
ステップＳ４６０では、処理Ｓ６が行われる。処理Ｓ６では、制御部９００が、スイッチ制御回路１５を制御して（介して）、スイッチ１４−２がオフを維持するように、スイッチ部１４０を制御する。この場合、光源１１−１，１１−３，１１−４は点灯し、当該光源１１−１，１１−３，１１−４は、前述の映像表示装置が映像を表示するための光源として利用される。そして、ステップＳ４６０の処理の後、前述のステップＳ５００が行われる。
【０２３３】
また、状態判定処理Ａ２において前述の状態ＳＴｘ３が発生した場合、スイッチ１４−３がオフにされたまま、処理は、故障光源特定処理（Ｓ２００）に含まれるステップＳ２７０へ移行する。
【０２３４】
ステップＳ２７０では、状態ＳＴｘ３において、ＤＤ１が０でなく、かつ、式８の関係が成立しているため、制御部９００は、光源１１−３が開放故障していると判定する。すなわち、制御部９００は、開放故障光源は光源１１−３であると判定する。また、制御部９００は、光源部１１０の状態が、開放故障状態であると判定する。そして、処理は、駆動電流制御処理（Ｓ３００）に含まれるステップＳ３７０へ移行する。
【０２３５】
ステップＳ３７０では、処理Ｃ７が行われる。処理Ｃ７は、前述の処理Ｃ１と同じであるので詳細な説明は繰り返さない。そして、処理は、スイッチ制御処理（Ｓ４００）に含まれるステップＳ４７０へ移行する。
【０２３６】
ステップＳ４７０では、処理Ｓ７が行われる。処理Ｓ７では、制御部９００が、スイッチ制御回路１５を制御して（介して）、スイッチ１４−３がオフを維持するように、スイッチ部１４０を制御する。この場合、光源１１−１，１１−２，１１−４は点灯し、当該光源１１−１，１１−２，１１−４は、前述の映像表示装置が映像を表示するための光源として利用される。そして、ステップＳ４７０の処理の後、前述のステップＳ５００が行われる。
【０２３７】
また、状態判定処理Ａ２において前述の状態ＳＴｘ４が発生した場合、スイッチ１４−４がオフにされたまま、処理は、故障光源特定処理（Ｓ２００）に含まれるステップＳ２８０へ移行する。状態判定処理Ａ２における状態ＳＴｘ４は、前述の状態ＳＴｃ２と同じである。そのため、状態ＳＴｘ４では、ＤＤ０，ＤＤ１は、それぞれ、４０，１２０である。
【０２３８】
ステップＳ２８０では、状態ＳＴｘ４において、ＤＤ１が０でなく、かつ、式８の関係が成立しているため、制御部９００は、光源１１−４が開放故障していると判定する。すなわち、制御部９００は、開放故障光源は光源１１−４であると判定する。また、制御部９００は、光源部１１０の状態が、開放故障状態であると判定する。そして、処理は、駆動電流制御処理（Ｓ３００）に含まれるステップＳ３８０へ移行する。
【０２３９】
ステップＳ３８０では、処理Ｃ８が行われる。処理Ｃ８は、前述の処理Ｃ１と同じであるので詳細な説明は繰り返さない。そして、処理は、スイッチ制御処理（Ｓ４００）に含まれるステップＳ４８０へ移行する。
【０２４０】
ステップＳ４８０では、処理Ｓ８が行われる。処理Ｓ８では、制御部９００が、スイッチ制御回路１５を制御して（介して）、スイッチ１４−４がオフを維持するように、スイッチ部１４０を制御する。この場合、光源１１−１，１１−２，１１−３は点灯すし、当該光源１１−１，１１−２，１１−３は、前述の映像表示装置が映像を表示するための光源として利用される。そして、ステップＳ４８０の処理の後、前述のステップＳ５００が行われる。
【０２４１】
以上説明したように、本実施の形態によれば、制御部９００が、並列接続された光源１１−１〜１１−ｍ（ｍは３以上の自然数）において故障光源が存在するか否かを判定する。制御部９００は、故障光源が存在する場合、光源１１−１〜１１−ｍのうち当該故障光源以外の光源である正常光源への電流の持続的な供給が行われるように、電流供給部１００およびスイッチ部１４０の少なくとも一方を制御する。
【０２４２】
これにより、並列接続された複数の光源のいずれかが故障しても、光源１１の持続的な発光を行うことができる。
【０２４３】
また、本実施の形態によれば、並列接続された光源１１−１〜１１−ｍにおいて、制御部９００は、駆動電流Ｉｆ０および電流Ｉｆ１に基づいて、故障光源が存在するか否かを判定する。すなわち、故障光源が存在するか否かの判定を、２箇所の電流の検出により実現できる。そのため、各光源１１の電流経路毎に、電流検出部を設ける必要はない。したがって、光源制御装置１０００の低コスト化を実現できる。
【０２４４】
また、本実施の形態によれば、故障光源が存在する場合、２個の電流検出部（電流検出部１３０，１３１）と、ＡＤ変換を行うチャンネルとしての２個の変換部２０とにより、故障光源を特定することができる。なお、当該電流検出部１３０は、使用者が所望する輝度を得るための駆動電流Ｉｆ０を検出する。また、当該電流検出部１３１は、複数の光源１１の電流経路のうちのいずれか１つの電流経路に設けられる。すなわち、並列接続された光源１１の数に関わらず、２個の電流検出部を利用して、故障光源を特定することができる。そのため、光源が故障した後においても、映像の表示に利用可能な光源（光源部１１０）を、使用者に提供することができる。
【０２４５】
また、本実施の形態によれば、並列接続された光源１１の数に関わらず、電流を検出する機能を有する電流検出部の数は２であればよい。そのため、最低限のコストで、光源１１の故障を検出することができる。
【０２４６】
また、本実施の形態によれば、故障光源が存在する場合でも、正常光源（光源１１）の定格値に対して、算出された最適な電流値の電流を、当該正常光源へ供給することができる。そのため、故障光源が存在する場合でも、最適な輝度の光を発する光源（光源部１１０）を提供することができる。したがって、安全な品質の光源制御装置１０００を提供することができる。
【０２４７】
また、本実施の形態によれば、故障光源が存在する場合、制御部９００が、電流供給部１００が、１以上の正常光源へ供給する電流の電流値を当該正常光源の定格値以下にするための処理を行うように、当該電流供給部１００を制御する。そのため、光源が故障した場合においても、他の光源（正常光源）のさらなる故障を誘発することなく、正常光源に、適切な輝度に対応する最適な電流を供給することができる。そのため、最適な輝度の光を発する良好な状態の光源（光源部１１０）を、使用者に提供することができる。
【０２４８】
すなわち、本実施の形態の光源制御装置１０００において、電流供給部１００が光源部１１０へ供給する駆動電流Ｉｆ０を精度よく制御するためには、検出抵抗Ｒ０および電流検出部１３０を削除することはできない。
【０２４９】
しかしながら、光源部１１０を構成する各光源１１に対して、１個の故障検出用の電流検出部を設ける必要はない。すなわち、光源制御装置１０００では、各光源１１のいずれか１個の光源１１に対して、１個の電流検出部１３１が設けられる。これにより、２個の電流検出部（電流検出部１３０、必要最低限の電流検出部）によって、光源１１の故障検出を行うことができる。そのため、各光源１１に対して、１個の故障検出用の電流検出部を設けられる従来の光源制御装置よりも、故障検出用の電流検出部を削減することができる。したがって、光源制御装置１０００の製造コストを低減することができる。
【０２５０】
なお、本実施の形態では、光源１１の数が４である場合の駆動電流管理処理について説明した。しかしながら、光源１１の数は、４に限定されず、２、３または５以上であってもよい。本実施の形態では、２個の電流検出部と、ＡＤ変換を行うチャンネルとしての２個の変換部２０があれば、全ての光源１１の故障を検知することができる。当該２個の電流検出部は、使用者が所望する輝度を得るための駆動電流Ｉｆ０を検出する電流検出部１３０、および、複数の光源１１の電流経路のうちのいずれか１つの電流経路に設けられる電流検出部１３１である。
【０２５１】
そして、光源制御装置１０００では、故障光源以外の各正常光源に故障を誘発することなく、当該各正常光源に最適な電流を供給して、当該各正常光源を点灯させる。これにより、使用者に映像を継続して表示するための光源（光源部１１０）を提供することができる。
【０２５２】
また、本実施の形態では、前述の図４の情報表示処理が行われる。情報表示処理では、前述した故障光源情報が表示される。これにより、光源１１の故障状態を使用者に開示することができる。すなわち、故障した光源１１の情報を使用者に伝えることができる。具体的には、どの光源１１が故障したかを使用者に報知するとともに、故障した光源１１の交換を促すことができる。したがって、例えば、全ての光源１１が故障する前に、光源制御装置１０００の迅速な復旧を実現することができる。
【０２５３】
なお、前述の情報表示処理では、故障光源情報は映像表示装置が表示するとしたがこれに限定されない。故障光源情報は、光源制御装置１０００を制御する制御用パソコン、液晶表示装置等が表示してもよい。
【０２５４】
なお、前述したように、光源１１は、ＬＥＤに限定されず、例えば、レーザ等の他の半導体光源であってもよい。
【０２５５】
また、本実施の形態で説明した、電流検出部１３０，１３１、ＡＤコンバータ２００の仕様および特性はあくまでも一例であり、同様の効果を得ることができるものであれば、これに限るものではない。
【０２５６】
また、本実施の形態では、制御部９００が、所定のプログラムに従って、各スイッチ１４の制御、電流供給部１００の制御等を行うとしたがこれに限定されない。制御部９００は、各スイッチ１４の制御、電流供給部１００の制御等を、例えば、電気回路等のハードウェアで行うように構成されてもよい。この構成においても、上記と同じ効果を得ることが出来る。
【０２５７】
（その他の変形例）
以上、本発明に係る光源制御装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０２５８】
また、光源制御装置１０００は、図１または図２に示される全ての構成要素を含まなくてもよい。すなわち、光源制御装置１０００は、本発明の効果を実現できる最小限の構成要素のみを含めばよい。
【０２５９】
また、本発明は、光源制御装置１０００が備える特徴的な構成部の動作をステップとする光源制御方法として実現してもよい。また、本発明は、そのような光源制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２６０】
また、本発明に係る光源制御方法は、図４の処理の一部または全てに相当する。本発明に係る光源制御方法は、図４における、対応する全てのステップを必ずしも含む必要はない。すなわち、本発明に係る光源制御方法は、本発明の効果を実現できる最小限のステップのみを含めばよい。本発明に係る光源制御方法は、例えば、図４のステップＳ１４０，Ｓ３００，Ｓ４００のみで構成されてもよい。また、本発明に係る光源制御方法では、例えば、図４のステップＳ５００が行われなくてもよい。
【０２６１】
また、光源制御方法における各ステップの実行される順序は、本発明を具体的に説明するための一例であり、上記以外の順序であってもよい。また、光源制御方法におけるステップの一部と、他のステップとは、互いに独立して並列に実行されてもよい。
【０２６２】
なお、光源制御装置１０００の各構成要素の一部は典型的には集積回路であるＬＳＩ（Large Scale Integration）として実現されてもよい。例えば、光源制御装置１０００において、制御部９００、スイッチ部１４０、電流検出部１３０，１３１およびスイッチ制御回路１５−１〜１５−ｍは、集積回路として実現されてもよい。
【０２６３】
上記実施の形態で用いた全ての数値は、本発明を具体的に説明するための一例の数値である。すなわち、本発明は、上記実施の形態で用いた各数値に制限されない。
【０２６４】
なお、本発明は、その発明の範囲内において、実施の形態を適宜、変形、省略することが可能である。
【０２６５】
例えば、上記の実施の形態では、故障検出用の電流検出部（電流検出部１３１）を１個設ける構成としたが、故障検出用の電流検出部をｕ（２≦ｕ＜ｍ）個設ける構成（以下、「変形構成Ａ」ともいう）としてもよい。以下においては、故障検出用の電流検出部を、「故障対応電流検出部」ともいう。
【０２６６】
変形構成Ａでは、例えば、ｕ＝２である場合、図１の光源制御装置１０００は、光源１１−１の電流経路に設けられる故障対応電流検出部（電流検出部１３１）に加え、例えば、光源１１−２の電流経路に故障対応電流検出部（以下、「故障対応電流検出部Ａ」ともいう）が設けられる。この場合、故障対応電流検出部Ａは、検出抵抗Ｒ１−２と電気的に並列接続される。また、故障対応電流検出部Ａは、電流Ｉｆ２を検出する。そして、ＡＤコンバータ２００は、検出された電流Ｉｆ２の電流値に対応するデジタルデータＤＤ２を、随時、制御部９００へ送信する。
【０２６７】
すなわち、変形構成Ａを適用した光源制御装置１０００において、ｕ＝２である場合、当該光源制御装置１０００は、２個の光源１１にそれぞれ供給される電流Ｉｆ１，Ｉｆ２を検出する２個の電流検出部を備える。すなわち、光源制御装置１０００は、光源１１−１に供給される電流Ｉｆ１を検出する故障対応電流検出部（電流検出部１３１）と、光源１１−２に供給される電流Ｉｆ２を検出する故障対応電流検出部Ａとを備える。
【０２６８】
すなわち、変形構成Ａを適用した光源制御装置１０００において、ｕ＝２であり、何れかの光源１１に故障が発生した場合、故障した光源１１を特定するために必要な時間を、故障対応電流検出部の数が１である場合よりも短縮することが可能となる。
【符号の説明】
【０２６９】
１１，１１−１，１１−２，１１−３，１１−４  光源、１４，１４−１，１４−２，１４−３，１４−４，１４−ｍ  スイッチ、１５，１５−１，１５−２，１５−３，１５−４，１５−ｍ  スイッチ制御回路、１００，１００Ｎ  電流供給部、１１０，１１０Ｎ  光源部、１３０，１３１  電流検出部、１４０  スイッチ部、２００  ＡＤコンバータ、９００，９００Ｎ  制御部、１０００，２０００  光源制御装置、Ｒ０，Ｒ１，Ｒ１−１，Ｒ１−２，Ｒ１−３，Ｒ１−４，Ｒ１−ｍ  検出抵抗。
【図１】
2016071981.tif 000011
【図２】
2016071981.tif 000012
【図３】
2016071981.tif 000013
【図４】
2016071981.tif 000014
【図５】
2016071981.tif 000015